【事件の表示】
　　特許第２６７６７１０号「信号処理方法」の特許に対する特許異議の申立てについて、次のとおり決定する。
【結　論】
　訂正を認める。
　特許第２６７６７１０号の特許請求の範囲第１項ないし第３項、第５項ないし第７項に記載された発明についての特許を維持する。
【理　由】
　１．手続の経緯
　本件に係る特許第２６７６７１０号の特許請求の範囲に記載された発明は、昭和６３年９月８日（優先権主張、昭和６２年９月１１日、米国）に特許出願され、平成９年７月２５日にその特許の設定登録（請求項の数７）がなされ、その後、特許異議の申立がなされ、取消理由通知がなされ、その指定期間内である平成１１年１２月１５日に訂正請求がなされたものである。
　２．訂正の適否について
　(1)訂正明細書に係る発明
　訂正明細書の特許請求の範囲（請求項の数６）に記載された発明は、次に掲げるとおりのものである。
「１．加入者局で信号を処理する方法であって、送信搬送波を受信する段階と、上記送信搬送波を復調してその中の放送番組および埋め込まれた信号を含む送信情報を検出する段階と、上記送信情報に埋め込まれた予め決められた比較部分、情報セグメントおよび上記情報セグメントとその情報セグメントを送信する送信局とを特定しうる計測監視セグメントを含む複数部分よりなる信号を検出する段階と、上記埋め込まれた信号の選択される情報処理装置と上記情報処理装置により実行される機能との両者を限定する複数のビットを有する予め決められた上記比較部分を上記加入者局にたくわえられた複数の予め決められた値と比較して若し予め決められた上記比較部分と予め決められた上記値のうちの１つとが一致していれば、（ａ）加入者局の一つの情報処理装置を選択して上記送信情報の上記情報セグメントの受信を可能にし、（ｂ）上記送信情報の上記情報セグメントを加入者局の上記選択した情報処理装置へ送ったことを記録するために上記計測監視セグメントを記録装置へ転送し、（ｃ）記録された計測監視セグメントを上記加入者局の情報とともに遠隔地へ転送する段階とよりなることを特徴とする信号処理方法
　２．上記計測監視セグメントを遠隔地に転送する段階は、周期的に上記記録装置内の情報量を計る段階と、上記記録装置内の情報量が予め定めた満杯レベルに達した時は自動的に記録装置内の情報を加入者局から遠く位置するコンピュータへ電話回線経由で転送する段階と、よりなることを特徴とする請求の範囲１項記載の信号処理方法
　３．上記信号処理方法は更に、上記遠く位置するコンピュータが夫々別の加入者局の記録装置に記録された計測監視セグメントを受信する段階と、上記遠く位置するコンピュータが各加入者からの支払の自動集金を可能にするために上記受信した計測監視セグメントから各加入者局宛の請求書を作成する段階と、よりなることを特徴とする請求の範囲２項記載の信号処理方法
　４．上記計測監視セグメントを記録装置に転送する段階は、計測監視セグメントを記録装置に受信可能なフォーマットにまとめる段階と、上記送信情報の上記情報セグメントを加入者局の上記選択された情報処理装置へ送ったことを記録するために、上記まとめられた計測監視セグメントを記録装置へ転送する段階と、よりなることを特徴とする請求の範囲１項記載の信号処理方法
　５．上記送信情報に埋め込まれた信号を検出する段階は、信号検出器が、予め定められた時間の間だけ、上記埋め込まれた信号を検出できるようにすることよりなることを特徴とする請求の範囲１記載の信号処理方法
　６．上記埋め込まれた信号は暗号化されており、埋め込まれた信号を検出する段階は更に暗号を解読する段階をも含んでいることを特徴とする請求の範囲１項記載の信号処理方法」
　(2)訂正の要旨の適否
（訂正請求に係る訂正事項）
　上記訂正は、特許請求の範囲の減縮を目的として、次に掲げる訂正事項ａからｈとする訂正である。
「訂正事項ａ　
　特許請求の範囲の請求項１中の「上記送信搬送波を復調してその中の送信情報を検出する段階と」を「上記送信搬送波を復調してその中の放送番組および埋め込まれた信号を含む送信情報を検出する段階と」に訂正
　訂正事項ｂ　
　特許請求の範囲の請求項１中の「上記送信情報に埋め込まれた情報セグメント」を「上記送信情報に埋め込まれた予め決められた比較部分、情報セグメント」に訂正
　訂正事項ｃ　
　特許請求の範囲の請求項１中の「上記情報セグメントとその送信局とを特定しうる計測監視セグメント」を「上記情報セグメントとその情報セグメントを送信する送信局とを特定しうる計測監視セグメント」に訂正
　訂正事項ｄ　
　特許請求の範囲の請求項１中の「上記埋め込まれた信号の予め決められた部分」を「上記埋め込まれた信号の選択される情報処理装置と上記情報処理装置により実行される機能との両者を限定する複数のビットを有する予め決められた上記比較部分」に訂正
　訂正事項ｅ　
　特許請求の範囲の請求項１中の「予め決められた値と比較して若し一致していれば、」を「上記加入者局にたくわえられた複数の予め決められた値と比較して若し予め決められた上記比較部分と予め決められた上記値のうちの１つとが一致していれば、」に訂正
　訂正事項ｆ
　特許請求の範囲の請求項１中の「上記情報セグメントの受信を可能にし、（ｂ）上記情報セグメントを」を「上記送信情報の上記情報セグメントの受信を可能にし、（ｂ）上記送信情報の上記情報セグメントを」に訂正
　訂正事項ｇ
　特許請求の範囲の旧請求項４を削除する訂正
　訂正事項ｈ
　特許請求の範囲の旧請求項５（新請求項４）中の「上記情報セグメント」を「上記送信情報の上記情報セグメント」に訂正」
（本件明細書に記載された事項）
　そこで、本件に係る願書に添付された明細書及び図面をみると、次に掲げる本件明細書記載事項１から10が記載されている。
　本件明細書記載事項１
「どんなテレビジョン、ラジオ、デ−タその他の番組が各送信局から送られているかを識別し記録すること」（特許掲載公報3頁5欄13行から14行）
　本件明細書記載事項２
「送信されたソフトウェアによって設置システムの能力を拡大することに対して柔軟性が存在しなければならない」（同公報3頁5欄31行から33行）
　本件明細書記載事項３
「TV信号デコーダ203は合成ビデオ送信を受信する能力を有し、その中に埋め込まれたディジタル情報を検出し、受信した情報内の誤りをフォワードエラーチェッキング技術によって訂正し、受信情報を必要により入力プロコトル技術によってマイクロコンピュータ205が受信し処理するとができるディジタル信号に変換し、上記信号をマイロコンピュ−夕205に転送する。」（同公報4頁7欄4行から11行）
　本件明細書記載事項４
「マイクロコンピュータ205は、放送送信に埋め込まれた信号だけ制御されて加入者が情報を入力可能」（同公報４頁8欄46行から47行）
　本件明細書記載事項５
「マイクロコンピュータ205は、受信した入力指示の各個別のシリーズ固有の最初の指示を評価するように予めプログラムが組まれており、そして上記最初の指示に応じてマイクロコンピュータ205は動作する。
　引き続き、指示の第２のシリーズが、上記プログラムの作り出しスタジオで埋め込まれ送信される。上記第２シリーズは検出されて第１シリーズと同様にマイクロコンピュータ205に入力される。マイクロコンピュータ205は上記最初の１つ又は複数の信号語を評価し、それはRAMに（デコーダ203が入力する入力バッファから）入力され、更に上記信号語に続く特定の指示のセットの情報を処理するようにマイクロコンピュータ205に指示する。」（同公報5頁9欄5行から16行）
　本件明細書記載事項６
「SPAM信号は二進情報を持つ。第2E図は信号情報の一例（誤り訂正に必要な専用ビットを除く）を示す。情報はへッダで始まるが、ヘッダは、それに続く情報パターンを分析する際に加入者局装置を同期させる。上記へッダに続いて実行セグメント、計測・監視セグメントおよび情報セグメントがある。へツダ、実行セグメント、計測・監視セグメントはコマンドを構成する。コマンドは特定の加入者局装置にアドレスされ、上記装置に“制御された機能”を実行させる。計測・監視セグメントは、加入者局信号処理装置システムに計測記録と監視記録を集めさせ、記録させ、遠隔局へ送信させる。
　最も簡易な望ましい実施例では、全てのへッダは２ビット二進情報からなり、コマンドは三つの二進へッダで識別される：
10…実行セグメントに対してのコマンド
00…実行と計測−監視セグメントに対してのコマンド；
および
01…情報セグメントを伴う実行と計測−監視セグメントに対してのコマンド
　実行セグメント情報は、コマンドがアドレスする加入者局装置と、上記装置が実行すべき制御された機能を含む。 ”ITS”は中間送信局（intermediate transmission station）装置を指し、“URS”は最終受信局（ultimate receiver station）装置を指す。アドレスされた装置の例には次のものがある：
　ITS制御器／コンピュータ（第６図中の73）
　URS信号処理装置（第７図中の200）　
　URSマイクロコンピュータ（第７図中の205）
　制御された機能の例には次のものがある：
　情報セグメントの内容のロードとラン
　計測・監視セグメント中に指定されたビデオ重畳組合せの開始
　情報セグメントの内容のプリント
　実行セグメントは予めプログラムされた動作指示を加入者局装置で発動する。夫々適当にアドレスされた装置と制御機能の組合せに対して、独自の二進値が割当てられる。望ましい実施例におしては、各実行セグメントは同数のビットを持つ。」（同公報8頁15欄17行から同頁16欄4行）
　本件明細書記載事項７
「SPAM信号は送信局で作られ、テレビジョン、ラジオ又は他のプログラム中に埋め込まれる。テレビジョンでは、通常の送信位置は、テレビジョン画像の各フレーム間の垂直帰線期間中である。ラジオでは、通常の送信位置は、人の耳で可聴な音響周波数帯域の上の超音波帯域にある。放送印刷またはデータ通信では、通常の送信位置は通常の情報と同じである。」（同公報9頁18欄18行から24行）
　本件明細書記載事項８
「へッダと実行セグメントを受信するとSPAM制御器205Cは実行セグメントを、制御機能呼び出しの＠205の情報と比較するようになる。比較することによって、その結果、SPAM制御器205Cに、ロードーラン−そしてコードの指示を実行するようにさせる情報と整合するようになる。」（同公報10頁20欄18行から23行）
　本件明細書記載事項９
「上記割込み信号および情報を受けることによって、制御器20は、実行セグメントと制御機能呼び出し＠200情報とを比較して、制御器20に、解読キーＺを使って、上記第１メッセージを解読するように指示する情報との整合を決定するようにさせる。」（同公報12頁23欄37行から41行）
　本件明細書記載事項10
「上記情報は制御器20に対して上記指示と予めプログラムされた計測指示＠20情報とを比較させ、制御器20で事前プログラムされた３セットの指示を呼び出す整合を決定させる。」（同公報13頁25欄50行から同頁26欄3行）
　上記本件明細書記載事項１から10を検討すると、上記訂正事項ａからｈは、特許請求の範囲の減縮に該当し、願書に添付された明細書及び図面に記載された事項の範囲内であり、実質上特許請求の範囲を拡張し、又は変更するものではない。
　(3)独立特許要件の判断
　当審の取消理由で引用した刊行物である米国特許第4,694,490号明細書には、次に掲げる発明（以下「刊行物発明」という。）が記載されている。
　なお、この刊行物発明は、本件訂正前の特許請求の範囲の旧請求項１に係る発明と同じものである。
「加入者局で信号を処理する方法であって、送信搬送波を受信する段階と、上記送信搬送波を復調してその中の送信情報を検出する段階と、上記送信情報に埋め込まれた情報セグメントおよび上記情報セグメントとその送信局とを特定しうる計測監視セグメントを含む複数部分よりなる信号を検出する段階と、上記埋め込まれた信号の予め決められた部分を予め決められた値と比較して若し一致していれば、（ａ）加入者局の一つの情報処理装置を選択して上記情報セグメントの受信を可能にし、（ｂ）上記情報セグメントを加入者局の上記選択した情報処理装置へ送ったことを記録するために上記計測監視セグメントを記録装置へ転送し、（ｃ）記録された計測監視セグメントを上記加入者局の情報とともに遠隔地へ転送する段階とよりなることを特徴とする信号処理方法」
　（対比判断）
　本件訂正明細書の特許請求の範囲の請求項１に記載された発明（以下「本件訂正発明」という。）と刊行物発明とを対比すると、刊行物発明には、本件訂正発明おける次に掲げる事項（以下「本件主要部訂正事項」という。）が記載されていない。
「埋め込まれた信号の選択される情報処理装置と情報処理装置により実行される機能との両者を限定する複数のビットを有する予め決められた比較部分を加入者局にたくわえられた複数の予め決められた値と比較して若し予め決められた比較部分と予め決められた値のうちの１つとが一致していれば」
　そして、本件訂正発明は、本件主要部訂正事項によって、「送信されたソフトウェアによって設置システムの能力を拡大する」という本件明細書に記載された目的を達成するものである。
　したがって、本件訂正発明は、刊行物発明と同一ではなく、本件訂正発明は、刊行物発明に基いて当業者が容易に発明をすることができたものともいえない。
　よって、本件訂正発明は、特許出願の際独立して特許を受けることができないものとすることができない。
　(4)訂正の適否についての結論
　以上のとおりであるから、上記訂正請求は、特許法第１２０条の４第３項で準用する同法第１２６条第２項から第４項の規定に適合するので、上記訂正を認める。
　３．特許異議の申立の理由の概要
　(1)異議申立人：株式会社　東芝
（条文）
　特許法第２９条第１項または第２項
（証拠）
　甲第１号証：特開昭53-121420号公報
　甲第２号証：特開昭60-149281号公報
　甲第３号証：特開昭61-267474号公報
　甲第４号証：特開昭61-20441号公報
（判断）
　甲第１号証には、上記２(3)で判断した刊行物発明と同じ発明が記載されている。
　甲第２号証には、有料番組視聴料金集計方式が記載されている。
　甲第３号証には、有料放送用受信機が記載されている。
　甲第４号証には、放送システムが記載されている。
　しかし、甲第１から４号証には、上記２(3)で判断した本件主要部訂正事項が記載されていないし、示唆もされていない。
　したがって、本件訂正発明は、甲第１から４号証に記載された発明と同一ではなく、また、これらの発明に基いて当業者が容易に発明をすることができたものとは認められない。
　(2)異議申立人：三木友由
（条文）
　特許法第２９条第１項第３号
　特許法第３６条第３項及び第４項第２号
（証拠）
　甲第１号証：米国特許第4,694,490号明細書
（判断）
　甲第１号証は、当審で引用した刊行物であって、上記２(3)で判断した当審刊行物発明が記載されている。
　しかし、甲第１号証には、上記２(3)で判断した本件主要部訂正事項が記載されていないし、示唆もされていない。
　したがって、本件訂正発明は、甲第１号証に記載された発明とは認められない。
（記載不備について）
　異議申立人は、「埋め込まれた信号」及び「情報セグメント」について、意味ないしは定義が不明である旨主張しているが、「埋め込まれた信号」及び「情報セグメント」については、上記２(2)（本件明細書に記載された事項）で示した本件明細書記載事項７及び本件明細書記載事項６にそれぞれ記載されており、これらの記載からみて、異議申立人が主張するように意味ないしは定義が不明であるとはいえない。
　(3)異議申立人：松橋学
（条文）
　特許法第２９条第２項
（証拠）
　甲第１号証：特開昭53-121420号公報
　甲第２号証：特表昭59-501340号公報
　甲第３号証：米国特許第4,361,851号明細書
　甲第４号証：特開昭53-11515号公報
（判断）
　甲第１号証は、異議申立人：株式会社　東芝が提出した甲第１号証と同じであって、この証拠には、上記２(3)で判断した刊行物発明と同じ発明が記載されている。
　甲第２号証には、遠隔報告、特に有料テレビ料金請求用の遠隔報告方法とシステムが記載されている。
　甲第３号証には、視聴率モニタからモニタ情報を中央コンピュータに伝送する視聴率調査システムが記載されている。
　甲第４号証には、有料テレビジョンシステムが記載されている。
　しかし、甲第１から４号証には、上記２(3)で判断した本件主要部訂正事項が記載されていないし、示唆もされていない。
　したがって、本件訂正発明は、甲第１から４号証に記載された発明に基いて当業者が容易に発明をすることができたものとは認められない。
　(4)異議申立人：ヒューズ・エレクトロニクス・コーポレーション
（条文）
　特許法第２９条第１項第３号または第２項
　特許法第３６条第４項
（証拠）
　甲第１号証：米国特許第4,694,490号明細書
　甲第２号証：米国特許第4,245,246号明細書
　甲第３号証：米国特許第4,390,898号明細書
　甲第４号証：米国特許第4,388,643号明細書
　甲第５号証：米国特許第4,378,470号明細書
　甲第６号証：米国特許第4,115,807号明細書
　甲第７号証：米国特許第4,068,264号明細書
　甲第８号証：米国特許第3,885,089号明細書
　甲第９号証：米国特許第4,024,574号明細書
（判断）
　甲第１号証は、当審で引用した刊行物であって、上記２(3)で判断した当審刊行物発明が記載されている。
　甲第２から４，６，７，９号証には、有料放送番組の料金払いテレビシステムが記載されている。
　甲第５号証には、電話回線へ接続するインターフェース回路が記載されている。
　甲第８号証には、テレビ信号のスクランブルシステムが記載されている。
　しかし、甲第１から９号証には、上記２(3)で判断した本件主要部訂正事項が記載されていないし、示唆もされていない。
　したがって、本件訂正発明は、甲第１から９号証に記載された発明と同一ではなく、また、これらの発明に基いて当業者が容易に発明をすることができたものとは認められない。
（記載不備について）
　異議申立人は、「本件特許の明細書は、具体的な技術的解決手段を提供していない」「どのタイプの信号を処理するのか特定していない」旨主張しているが、上記２(2)（本件明細書に記載された事項）で示した本件明細書記載事項1から10、特に、本件明細書記載事項6から10の記載からみて、異議申立人が主張するように「技術的解決手段」「どのタイプの信号」について、当業者が容易に実施できる程度に記載されていないとはいえない。
　(5)異議申立人：龍華明裕
（条文）
　特許法第２９条第２項
（証拠）
　甲第１号証：特表昭55-500886号公報
　甲第２号証：米国特許第3,885,089号明細書
（判断）
　甲第１号証には、上記２(3)で判断した刊行物発明と同じ発明が記載されている。
　甲第２号証は、異議申立人：ヒューズ・エレクトロニクス・コーポレーションが提出した甲第８号証と同じであって、この証拠には、テレビ信号のスクランブルシステムが記載されている。
　しかし、甲第１，２号証には、上記２(3)で判断した本件主要部訂正事項が記載されていないし、示唆もされていない。
　したがって、本件訂正発明は、甲第１，２号証に記載された発明に基いて当業者が容易に発明をすることができたものとは認められない。
　４．むすび
　以上のとおり、本件訂正発明は、刊行物及び異議申立人の提出した証拠に記載された発明に基いて当業者が容易に発明をすることができたものとは認められない。
　また、訂正された請求項２から６に記載された発明は、本件訂正発明を引用するものであるから、本件訂正発明と同様の理由により、当業者が容易に発明をすることができたものとは認められない。
　さらに、他に本件訂正発明に係る特許を取り消すべき理由を発見しない。
　よって、結論のとおり決定する。
【異議決定日】
平成１２年３月２２日（２０００．３．２２）
【訂正の要旨】
　特許請求の範囲の減縮を目的として、次に掲げる訂正事項ａからｈとする訂正を認める。
　訂正事項ａ
　特許請求の範囲の請求項１中の「上記送信搬送波を復調してその中の送信情報を検出する段階と」を「上記送信搬送波を復調してその中の放送番組および埋め込まれた信号を含む送信情報を検出する段階と」に訂正
　訂正事項ｂ
　特許請求の範囲の請求項１中の「上記送信情報に埋め込まれた情報セグメント」を「上記送信情報に埋め込まれた予め決められた比較部分、情報セグメント」に訂正
　訂正事項ｃ
　特許請求の範囲の請求項１中の「上記情報セグメントとその送信局とを特定しうる計測監視セグメント」を「上記情報セグメントとその情報セグメントを送信する送信局とを特定しうる計測監視セグメント」に訂正
　訂正事項ｄ
　特許請求の範囲の請求項１中の「上記埋め込まれた信号の予め決められた部分」を「上記埋め込まれた信号の選択される情報処理装置と上記情報処理装置により実行される機能との両者を限定する複数のビットを有する予め決められた上記比較部分」に訂正
　訂正事項ｅ
　特許請求の範囲の請求項１中の「予め決められた値と比較して若し一致していれば、」を「上記加入者局にたくわえられた複数の予め決められた値と比較して若し予め決められた上記比較部分と予め決められた上記値のうちの１つとが一致していれば、」に訂正
　訂正事項ｆ
　特許請求の範囲の請求項１中の「上記情報セグメントの受信を可能にし、（ｂ）上記情報セグメントを」を「上記送信情報の上記情報セグメントの受信を可能にし、（ｂ）上記送信情報の上記情報セグメントを」に訂正
　訂正事項ｇ
　特許請求の範囲の旧請求項４を削除する訂正
　訂正事項ｈ
　特許請求の範囲の旧請求項５（新請求項４）中の「上記情報セグメント」を「上記送信情報の上記情報セグメント」に訂正
（５４）【発明の名称】
信号処理方法
【発明の詳細な説明】
〔本発明の背景〕
　本発明はプログラミングコミュニケーションの統合システムに関係しており、コンピュータ処理、コンピュータ通信、テレビジョン、ラジオ、及びその他の電子通信の分野や、テレビジョン、ラジオ、コンピュータおよび他の電子的に伝送されたプログラミングの取扱、記録、再送信の自動化の分野や、更に、そのようなプログラミングの有効性、用途および利用法の調整、計測、監視の分野を含んでいる。
　長年、テレビジョンはアイディアを伝えるための強力な媒体であると認められて来た。ラジオや、ティッカやブロードテープと呼ばれる電子印刷サービスもまた強力な大衆媒体である（以後、電子印刷媒体は「放送印刷」と呼ぶ）。しかしテレビジョン、ラジオおよび放送印刷は単なる大衆媒体にすぎない。プログラムの内容はどの視聴者にも全く同じである。
　長年、コンピュータはユーザ特定の情報の処理や表示に対し卓絶した能力を有するものと認められて来た。しかし処理は大衆媒体ではない。コンピュータはユーザに制御されて動作する。
　今日、アイディアを伝える放送媒体の能力と、ユーザ特定の情報を処理して出力するコンピュータの能力との組合せに対して大きな可能性が存在している。その結果できる新しい媒体は組合せ媒体と呼ばれる。
　この可能性を開くことは、かかる新しい媒体がアイディアや情報や娯楽の伝達に実質的な豊かさと多様性を加えることになるので望ましい。複雑な問題を理解することも容易になろう。
　この可能性を完全に開くためには、現在別々になっている、テレビジョンとコンピュータ、ラジオとコンピュータ、放送印刷とコンピュータ、テレビジョンとコンピュータと放送印刷等の受信システム、等々を組合せ制御する手段と方法が必要である。それは、なんの機器も殆ど持たず単純な情報だけを求める加入者から大規模な装置を備え複雑な要求をする加入者までを満足させるものでなければならない。それは、単一チャネル伝送システムが一時に伝達できる情報より遥かに大量の情報を伝送し組織する能力を持つ必要がある。それは（１）広告主その他が伝送に対して支払う費用や（２）著作権所有者、有料業務運営者、その他に、確実な支払請求権を与えるものでなければならない。本システムは著作権侵害を禁止するものでなければならない。
　これらの能力を最も効果的に結合する統合システムの全面的利用によって、上記可能性を開くことが本発明の目的である。従来の技術の諸制約を克服することも本発明の他の目的である。
〔本発明の概要〕
　本発明はプログラミングを通信するための方法および装置の統合システムで構成されている。プログラミングとは、娯楽、教育または報道のために電子的に伝送される全てのものを指し、テレビジョン、ラジオ、放送印刷、コンピュータプログラミングおよび組合せ媒体のプログラミングを含んでいる。このシステムは多チャネル通信を自動的に組織する能力を含んでいる。テレビジョンその他の電子媒体同様に、本発明は加入者にとって楽しみ理解することが簡単にできる標準番組の伝送能力を有する。コンピュータシステムと同様に、本発明はコンピュータに対して、プログラムの発生や送信を行わせ、また受信装置に、広範な別々の時間帯に受信した情報に基づいて動作させる能力を持つものである。
　本発明の他の目的は、一点から多数点への伝送（テレビジョンまたはラジオ放送のような）が利用者指向盾報を複数加入者の所で同時に発生させ得るような手段と方法を提供することにある。一つの利点は使用の容易性である。例えば、加入者は、単に彼のテレビ受像機のスイッチを入れ、特定のチャネルに同調させるだけで、彼の情報を複雑な方法で処理させることができる。他の利点は透明性で、加入者には複雑な処理が全く見えない。他の利点はプライバシーを保てることである。送信局では個人情報を必要としないし、また特定加入者の個人的な情報は、他の如何なる加入者の所でも得られない。
　更なる目的は、適切な利用者特定の情報と従来の放送番組とを、加入者（利用者）の所で、放送の送信が周期的に組合わせるような手段と方法を提供することであって、それによって放送情報と利用者個々の情報とを統合する。本発明の１つの利点は複雑な処理の意味を明快で簡単な方法で示すことである。他の利点は、利用者情報をテレビジョンまたはラジオ番組中に組み入れる能力に欠けた受信機の所では引き続き従来の番組を受信し表示できるということである。
　更に他の目的は、番組を受信して再送信する中間送信局の自動化に対する手段と方法を提供することである。番組は、空間を超えて（放送）又は電線（ケーブル送信）を含む種々の手段で伝えられる。本発明は、送信されたそれぞれのチャネルに対して米国連邦通信委員会が放送局運営者に維持することを求めている放送実施記録の複製を自動的に作成する能力を有する。
　更なる目的は、最終受信場所での自動化に対する手段と方法を提供することである、ここで自動化の対象は；どんなテレビジョン、ラジオ、データその他の番組が各送信局から送られているかを識別し記録すること、またどんな番組が各受信個所で受信されているか、また、番組が如何に使えるかを識別し記録すること、組合せ媒体および／又は多チャンネル番組の記録、既に記録したこの種番組の再生、及び送られた通信を正当な権利をもつ加入者だけに制限して利用させること、などである。かかる手段と方法は、信号の、構成形式、タイミング、および位置を、予め知らされた受信機のみが正しく処理できるように、変える技術を含んでいる。
　本発明はプログラミング内に埋め込まれた信号を使用する。埋め込まれた信号はプログラミングから不注意で切り離されない。それ故に自動処理を禁じている。これらの信号は都合よく監視できる。
　本発明の中心的な目的は、施設の機器に柔軟性を持たせることである。本システムは、個々の加入者に、機器設備の面で最低の価格で広範な分野の情報選択の自由を提供するために、施設装置の幅広い変化に対応できなければならない。送信されたソフトウェアによって設置システムの能力を拡大することに対して柔軟性が存在しなければならないし、また部品を付加したり取り外したりすることによってモジュール様式の設置システムに変更を加えることに対しても柔軟性を持たせなければならない。著作権侵害者を識別し阻止するために、正しく許可された加入者だけにプログラミングを限定する技術を変更することに対しても柔軟性が存在しなければならない。
　本発明の他の目的や特長や利点は、下記記述や請求項の中で明らかになるであろう。
　図面の簡単な説明
　第１図はビデオ／コンピュータの組合せ媒体受信局の図である。
　第１Ａ図はコンピュータが作成して表示管面に表示させた利用者特定のグラフィックの代表的な例を示す。
　第１Ｂ図はスタジオで作成したグラフィックの代表的な例を示す。
　第１Ｃ図はスタジオグラフィックと利用者特定グラフィックを組合せたものの表示管面に映し出された代表的な例を示す。
　第２図は信号処理装置の一実施例を示す図である。
　第２Ａ図はＴＶ信号デコーダの図である。
　第２Ｂ図はラジオ信号デコーダの図である。
　第２Ｃ図は他の信号デコーダの図である。
　第２Ｄ図は信号処理システムの一実施例を示す図である。
　第２Ｅ図はメッセージの始めの２進情報を示す図である。
　第２Ｆ図は計測監視部分の一例を示す。
　第２Ｇ図はコマンド（命令）の一例を示す。
　第２Ｈ図は最終バイト信号語を完成するために３つのパディングビットを付加された第２Ｇ図のコマンドを示す。
　第２Ｉ図はＳＰＡＭメッセージの流れの一例を示す。
　第２Ｊ図は１バイト信号語を満たすメッセージの一例を示す。
　第２Ｋ図は１つの全バイト信号語のパディング（埋め草的な）ビットで終わるメッセージの一例を示す。
　第３図は信号処理システムを持つビデオ／コンピュータ組合せ媒体受信局の図。
　第３Ａ図はＳＰＡＭデコーダの望ましい制御器の図である。
　第４図は信号処理調整装置の一例の図である。
　第５図は信号処理監視装置の一例の図である。
　第６図は、本図中に入り切らなかった一部（ケーブル方式ヘッダ）を示す第６Ａ図と共に、中間送信局における信号処理装置の一例図である。
　第７図は最終受信所における信号処理装置の図である。
　第７Ａ図はローカル受信所の環境を調整する信号処理装置の図である。
　第７Ｂ図は組合せ媒体、多チャネル提示および視聴者監視の制御用に使用する信号処理装置の図である。
　第７Ｃ図は情報選択および組合せ媒体、多チャネル提示内容を制御する信号処理装置の図である。
　第７Ｄ図はラジオ／コンピュータの組合せ媒体受信局の図である。
　第７Ｅ図はテレビジョン／コンピュータの組合せ媒体受信局の図である。
　第７Ｆ図はテレビジョンと印刷の組合せ媒体の制御の一例の図である。
　第８図は第７図の選ばれた装置で、ＥＰＲＯＭ２０Ｂを設置したものの図である。
〔実施例〕
　組合せ媒体の一例
　第１図にビデオ／コンピュータ組合せ媒体の加入者局（局とは称するが加入者の受信設備を指し、最終受信局とも呼ぶ）を示す。通常のアンテナを通して加入者局は通常のテレビジョン送信をテレビチューナ２１５で受信する。ゼニス社製のモデルＣＶ５１０ＴＶチューナはそのようなチューナの１つである。このチューナはオーディオと合成ビデオを出力する。このオーディオはＴＶモニタ２０２Ｍに入力される。ビデオは分割器４に入力され送信を二つのパスに分割する。１つはＴＶ信号デコーダ２０３に他方はマイクロコンピュータ２０５に入力される。後述するＴＶ信号デコーダ２０３は合成ビデオ送信を受信する能力を有し、その中に埋め込まれたディジタル情報を検出し、受信した情報内の誤りをフォワードエラーチェッキング技術によって訂正し、受信情報を必要により入力プロトコル技術によってマイクロコンピュータ２０５が受信し処理することができるディジタル信号に変換し、上記信号をマイクロコンピュータ２０５に転送する。マイクロコンピュータ２０５は、ディスク駆動装置が付いた通常のマイクロコンピュータシステムで、デコーダ２０３からの信号を受信し、コンピュータグラフィック情報を発生し、合成ビデオ送信を受信し、上記グラフィック情報を上記送信のビデオ情報上にグラフィック重畳技術によって組合せ、その結果得られた組合せ情報をＴＶモニタ２０２Ｍに合成ビデオ送信として出力するのに適した能力を有するものである。そのようなシステムの１つは、ＩＢＭ社のＩＢＭパーソナルコンピュータで、１拡張スロット内にＩＢＭ非同期式通信アダプタが設置されており、また、テクマーグラフィックマスターカードを持ったＰＣ−マイクロキーモデル１３００システムが他の２つのスロット内に設置されているが、両者はテキサス州オースチンのビデオアソシエート研究所によって一緒に供給されている。マイクロコンピュータ２０５はその非同期式通信アダプタでデコーダ２０３からのディジタル信号を受信し、分割器４からのビデオ送信をそのＰＣ−マイクロキーシステムで受信する。そのＰＣ−マイクロキーシステムから合成ビデオを出力する。マイコン２０５は必要とするすべてのオペレーティングシステムを持つ、すなわちＭＳ／ＤＯＳヴァーション２．０ディスクオペレーティングシステムとその駆動装置を内蔵する。ＴＶモニタ２０２Ｍはビデオとオーディオを合成した送信を受信し、通常のテレビ画像とオーディオ音声を提供する能力を持つ。そのようなモニタの１つはゼニス社のモデルＣＶ１９５０カラーモニタである。
　加入者局はニューヨーク市にあり、午後８時３０分にＷＮＥＴ局が株式投資に関する番組「ウォール街ウィーク」を送信し始める時、１３チャネルの放送周波数に同調させてある。上記局はメリーランド州の遠隔テレビスタジオのための１中間送信局である。（プログラムの送信を最初に始める局を「プログラムを作り出すスタジオ」と呼ぶ）。上記スタジオから、上記番組は従来からの放送網によって多数の中間送信局に送信され、その中間送信局は上記番組をさらに数百万の加入者に再送信する。
　マイクロプロセッサ２０５（請求項では本発明信号処理装置に対して外部の機器と規定される）は、指定されたディスク駆動装置中に、データファイルを入れた通常の５．２５インチフロッピイディスクを有する。上記ファイルには加入者の有価証券内訳に関する情報を保有し、その中で株式や各株券数や株券の市場最終価格が確認される。
　デコーダ２０３は、そのビデオ入力の垂直帰線期間の１線上または複数線（例えば２０線）上のディジタル情報を検出し、誤りを訂正し、上記情報をマイクロコンピュータ２０５で使用可能なディジタル信号に変換し、上記信号をマイクロコンピュータ２０５の非同期式アダプタに入力するように予めプログラムされている。マイクロコンピュータ２０５は、上記入力を受信し、「ウォール街ウィーク」プログラム送信中に埋め込まれていた指示信号に対応するように、予めプログラムさている。
　他の、同様に配置形成され且つ予めプログラムされた複数加入者局は、上記プログラムの送信に同調する。各加入者局では、有価証券内訳ファイルの記録が、同様な形式で、その局の加入者の個々の投資に関する情報を保持している。
　上記プログラムを作り出すスタジオでは、制御指示の最初のシリーズが作られ、垂直帰線期間の上記１線または複数線上に１憤次埋め込まれ、上記シリーズが全部送信されてしまうまで上記テレビジョン送信の連続した各フレーム上で送信される。上記シリーズの指示は、各加入者局のマイクロコンピュータ２０５にアドレスされ、それをを制御する。
　上記シリーズで、更にそれに続く何れか１つ又は以上の指示シリーズで、何れの局のマイクロコンピュータ２０５に対する制御指示の送信も無い期間によって個々の指示は分離され、その期間は、各加入者局のマイクロコンピュータ２０５が、前回送信された指示により制御された仕事を完了して、次の指示を受信する前に、次の指示に対する待機を始めるのに十分な時間を与える。
　この種技術では公知の方法で行われる各工程で、この指示の最初の組はマイクロコンピュータ２０５（他の加入者局のマイクロコンピュータも同時に）に、その中央処理装置（ＣＰＵ）及び指定された他の処理装置の動作に割込みをかけ、次に其のＣＰＵと他の指定した処理装置のレジスタの内容を、ＲＡＭの中の指定した個所に記録し、次に其のＰＣ−マイクロキー１３００を、受信した全ての合成ビデオ情報を修正せずにモニタ２０２Ｍへ送る「グラフィックス　オフ（ＧＲＡＰＨＩＣＳ　ＯＦＦ）」操作モードにセットし、次にＲＡＭ内の情報を、内蔵するディスク上の「割込みバク（ＩＮＴＥＲＵＰＴ　ＢＡＫ）」など適当に名付けたファイル中に記録し、次に全てのＲＡＭ（オペレーティングシステムが含まれている部分を除く）および上記ＣＰＵの全てのレジスタをクリアし、次にデコーダ２０３からの爾後の指示を待機する。
　上記最初のセットの制御下に、マイクロコンピュータ２０５は、放送送信に埋め込まれた信号だけに制御されて加入者が情報を入力可能で、かつ、「ウォーム　ブート（ｗａｒｍ　ｂｏｏｔ）」と呼ぶ動作の実行によってのみ加入者がマイクロコンピュータ２０５の制御を取り戻せる状態になる。このセットは「制御呼出し指示（ｃｏｎｔｒｏｌ　ｉｎｖｏｋｉｎｇ　ｉｎ−ｓｔｒｕｃｔｉｏｎｓ）」でこれに結合したステップは「放送制御呼出し（ｉｎｖｏｋｉｎｇ　ｂｒｏａｄｃａｓｔ　ｃｏｎｔｒｏｌ）」である。
　マイクロコンピュータ２０５は、受信した入力指示の各個別のシリーズ固有の最初の指示を評価するように予めプログラムが組まれており、そして上記最初の指示に応じてマイクロコンピュータ２０５は動作する。
　引き続き、指示の第２シリーズが、上記プログラムの作り出しスタジオで埋め込まれ送信される。上記第２シリーズは検出されて第１シリーズと同様にマイクロコンピュータ２０５に入力される。マイクロコンピュータ２０５は上記最初の１つ又は複数の信号語を評価し、それはＲＡＭに（デコーダ２０３が入力する入力バッファから）入力され、更に上記信号語に続く特定の指示のセットの情報を処理するようにマイクロコンピュータ２０５に指示する。このようなロードされ実行される指示のセットは「プログラム指示セット」である。この技術で周知の方法で、マイクロコンピュータ２０５は事前に決めた方法で、上記セットの終わりが検出されるまで上記セットの二進情報をＲＡＭに入力し、そして上記セットをアセンブラによる機械語プログラムとして実行する。
　上記プログラム指示セットによる制御の下で、加入者が所持する投資内訳データファイルにアクセスしながら、マイクロコンピュータ２０５は加入者の株式投資の全体の成績を計算し、その成績のグラフィックイメージを内蔵のグラフィックカードに構成する。
　これらの指示は、先ずコンピュータに、毎日の業務終了時に、市場終値に各株の保有数を掛けた積の和を積算して資産内訳の総計値を決定させる。この指示はマイクロコンピュータ２０５に、その１週間の各事業日に対する資産内訳の集計値の百分率変化を計算させる。次に指示はマイクロコンピュータ２０５に、特定の原点と目盛したグラフ軸をもつグラフ上に上記百分率変化が描かれるように、グラフィックスカードのビデオＲＡＭに、ディジタル情報を入力させる。完了した時、この指示は、マイクロコンピュータ２０５を次に来る指示に対し待機させる。
　もしビデオＲＡＭ上の情報が、ＴＶモニタの画像スクリーンに単独で送信されるものであれば、それは、別のビデオイメージに重畳される時には透明な、一つの背景色の上に、例えば赤のような特定の色の１本線で現わされる。黒はそのような背景の色であり、第１Ａ図は一つのそのような線を示す。
　各加入者局が上記プログラム指示セットを終了した時、そのような線の情報はビデオＲＡＭに存在しており、その情報は上記局のユーザの特定の資産内訳の成績を表わすものである。
　マイクロコンピュータ２０５がこれらのステップを行っている間、ＴＶモニタ２０２Ｍは、通常の「ウォール街ウィーク」のテレビ映像と音声とを表示する。司会者は「さてグラフに移りますと、これはダウジョーンズ工業の丁度前の１週間の動きです”と言い、スタジオで作り出したグラフィックが送信される。第１Ｂ図はＴＶモニタ２０２Ｍの画像スクリーン上に現われた上記グラフィックの映像を示す。“これがあなたが行なった投資の全容です”と司会者は説明する。この時、上記プログラム作り出しスタジオで、指示信号が作られ、送信の中に埋め込まれて送信される。上記信号はデコーダ２０３で識別され、マイクロコンピュータ２０５に転送され、“グラフィックス　オン”命令としてシステムレベルで実行される。上記信号はマイクロコンピュータ２０５に実装したＰＣ−マイクロキー１３００に指示して、其のグラフィックスカード中のグラフィック情報を、受信した合成ビデオ情報に重畳させ、組合せ情報をＴＶモニタ２０２Ｍに送信させる。ＴＶモニタ２０２Ｍは、マイクロコンピュータで作ったグラフィックをスタジオで作ったグラフィックの上に重畳した、第１Ｃ図に示す映像を表示する。マイクロコンピュータ２０５はデコーダ２０３からの他の指示の待機を始める。
　多数の視聴者中の各加入者は、同時に、市場全体の動きと関連した彼の特定の投資の成績の情報を見る。
　（「グラフィックス　オン」の様な加入者局装置の組合せ動作を実行させる指示は「組合せ同期指示（ｃｏｍｂｍｉｎｇ　ｓｙｎｃｈ　ｃｏｍｍａｎｄ）」と呼ばれる。上記プログラム指示に先行した上記最初の信号語は、最初の信号語が全てのコンピュータに入力と実行の開始を同期させるような組合せ同期指示のもう一つの例を与える。）
　プログラムの進行につれて、更に指示信号が上記スタジオで作られ、送信され、検出され、マイクロコンピュータ２０５に入力され、「グラフィックス　オフ」として実行される。その時、上記スタジオはグラフィック映像の送信を中止し、司会者のような別の映像を送信する。同時に「グラフィックス　オフ」命令は、マイクロコンピュータ２０５に、受信した合成ビデオヘのグラフィッック情報の重畳を中止して、受信した合成ビデオの無修正送信を始めさせる。
　これは、テレビジョンに基づく組み合せ媒体プログラミングの数多くの例の一つを与えるに過ぎない。このテレビジョンに基づく媒体は多くの組合せ媒体の１つに過ぎない。
　信号処理装置
　、第２Ｄ図中の２６、第６図のシステム内の７１、第７図中の２００などとして示す本発明信号処理装置は、加入者局動作の制御および監視のための中心的な手段である。それは通信を計測し、放送網のオーナ達に支払条件に関する多くの様式の情報を加入者に提案することを可能にする。
　それは、選択的にプログラム及び／又は制御信号を解読することによって通信支出を調整することができる。それは、多くのチャネルの中の夫々特定のプログラムの主題事項を識別する能力を持ち、それにより加入者局装置は自動的に上記プログラムに同調できる。それは、加入者にプログラミング利用に基づいて請求する遠隔局へ記録を自動的に転送する能力を持つ。それは、この明細書全体によって明らかになる他の様式による処理に対する能力も持つ。
　第２図は、ケーブル放送と通常の放送を入力と
して構成された信号号処理装置例を示す。信号処理装置２６は、スイッチ１およびミキサ２と３とで、利用できるプログラムを識別できるように全ての受信可能な周波数を監視する。入力される情報は、ケーブル放送とローカルテレビジョンアンテナで得られる全周波数帯域にわたる。ケーブル放送はスイッチ１とミキサ２に同時に入力される。放送送信はスイッチ１に入力される。スイッチ１とミキサ２、３は局部発振器、それによる周波数同調、及びスイッチ制御機能をもつ６によって制御される。６の発振器は、受信したい個々のラジオ及びテレビジョンチャネルのために、夫々分離された特定周波数を出力できるように制御される。スイッチ１は（空間）放送またはケーブル放送の入力選定を行い、それをミキサ３に伝え、ミキサ３は、６の制御された発振器と共に、関心のあるテレビジョン周波数を選び、それをＴＶ信号デコーダ３０に固定周波数で伝える。同時にミキサ２と６の制御された発振器は、関心のあるラジオ周波数を選択し、それをラジオ信号デコーダ４０に入力する。
　信号処理装置２６は、デコーダ３０と４０のところで、上記プログラミングが利用または視聴可能になるので、特定のプログラミングと主題事項を識別する。第２Ａ図に示すデコーダ３０と第２Ｂ図に示すデコーダ４０は、それぞれ入力されたテレビジョンとラジオの周波数中に埋め込まれた信号情報を検出し、これを加入者局内装置が処理可能なディジタル信号とし、特定の信号に特別な情報の付加または削除を施して修正し、これらの信号をバッファ／コンパレータ８へ出力する。
　バッファ／コンパレータ８は上記デコーダその他の入力からの信号を受信し、受信した情報を予め定めた様式で組織化する。バッファ／コンパレータ８は入力された情報の一部または複数部分を前もってプログラムされた情報と比較し、その比較結果に基づいて予めプログラムした仕方で動作する能力を持つ。それはファイルの終りの特定な信号を検出する能力を持つ。予め定めた仕方で、バッファ／コンパレータ８は与えられた信号情報が解読を要するか否かを決定する。バッファ／コンパレータ８と制御器２０は、信号処理装置２６で上記情報を解読できるか否かを決定する。もし信号処理装置２６に解読する能力があれば、バッファ／コンパレータ８は上記情報を解読器１０に転送する。もしできなければ、バッファ／コンパレータ８は、上記情報を捨てる。バッファ／コンパレータ８は、解読する必要のない信号を制御器１２に転送する。
　解読器１０は標準ディジタル解読器で、バッファ／コンパレータ８から信号を受信し、制御器２０の制御下に従来の技術を用いて信号を解読する。解読器１０は解読した信号を制御器１２に転送する。
　制御器１２は標準制御器で、外部装置に情報を送信するために、マイクロプロセッサとＲＡＭを装備し、１つ又は以上のポートを備えている。制御器１２は読取専用メモリＲＯＭをもつこともある。制御器１２はバッファ／コンパレータ８と解読器１０から信号を受信し、予め定めた仕方で信号を分析し、それらを外部装置又はバッファ／コンパレータ１４の何れか一方又は双方に転送すべきか否かを決定する。もし信号が外部へ転送されるべきであれば、制御器１２は、その信号を転送すべき外部装置の宛先を識別し、それらを転送する。もしそれらが計測及び／又は監視情報を持っていれば、制御器１２は妥当な情報を選択してバッファ／コンパレータ１４に転送する。制御器１２は、情報を付加したり、削除したりして受信信号を修正する能力を持つ。制御器１２はクロック１８から時間情報を受信し、遅延させて転送する手段を持つ。
　バッファ／コンパレータ１４は、制御器１２や他の入力から、計測または監視情報よリなる信号情報を受信し、上記情報を計測記録または監視記録（集合的には“信号記録”）に予め定めた様式で組織し、そして信号記録をディジタルレコーダ１６、或いは１っ又は以上の遠隔地へ転送する。バッファ／コンパレータ８は、信号記録を創始または修正し、不必要な情報を捨てる能力を持つ。二重データを避けるためにバッファ／コンパレータ１４は、信号情報の計算／又は二重例を捨てる手段、及び計算情報を信号記録中に組み込む手段を有する。バッファ／コンパレータ１４は、クロック１８から時間情報を受信し、時間情報を信号記録中に組み込む手段を有する。バッファ／コンパレータ１４は、制御器２０の制御の下で動作し、制御器２０は、バッファ／コンパレータ１４における信号記録フォーマット及び信号記録内情報を修正することができる。（バッファ／コンパレータ１４は、適切な制御指示で予めプログラムされ、制御器２０によって制御される、専用の“オンボード”制御器１４Ａの制御下で動作することもある。）
　ディジタルレコーダ１６は、バッファ／コンパレータ１４から情報を受け、上記情報を記録する標準設計の記憶装置素子である。予め定めた様式で、レコーダ１６は、自動的に、何時それが一定水準に満たされるかを決定して制御器２０に知らせることができる。
　信号処理装置２６はプログラム可能なＲＡＭ制御器２０と、信号処理装置２６及び加入者局を識別できる独特のディジタルコード情報を持つＲＯＭ２１と、自動ダイヤル装置２４と、電話ユニット２２を持っている。ＲＯＭ２１の一部分は消去可能で再プログラム可能なＲＯＭ（”ＥＰＲＯＭ”）又は他の形のプログラム可能な不揮発性記憶装置である。ＲＯＭ２１の其の部分に在って消去できない特定の予めプログラムされた指示の制御下で、信号処理装置２６は上記ＥＰＲＯＭを消去し再プログラムする能力を持つ。制御器２０は信号処理装置の全素子の動作を制御する能力を持っており、また上記素子から動作情報を受信できる。制御器２０は、制御された加入者局内装置の何れの要素の動作でも、全面的または部分的に停止させ、上記制御された装置の消去可能メモリの何れか又は全部を消去する能力を持つ。
　第２図の信号処理装置は信号処理装置の一実施例に過ぎない。他の実施例では下記の第２Ｃ図に示すような他の信号デコーダを追加することによりラジオおよびテレビジョン以外の周波数を監視できる。複数実施例でデコーダは固定周波数で連続的に受信できる。１つの特別な実施例では、発振器６、スイッチ１、ミキサ２と３、又はデコーダ３０又は４０を持たない。もう１つの実施例では、バッファ／コンパレータ１４、レコーダ１６、クロック１８および制御器２０に組み込まれた制御装置しか持たない。他の実施例はこの明細書全体で明らかになる。
信号デコーダ
　信号デコーダ装置は本発明で基本的なものである。第２Ａ図は、入力されたテレビジョン周波数内に埋め込まれた信号情報を検出するＴＶ信号デコーダを示す。第１図中のデコーダ２０３は、かかるデコーダの１つで、第２図中のデコーダ３０はもう一つの例である。選ばれた周波数は固定周波数でフィルタ３１に入力され、それは分析されるべきチャネルを限定する。チャネル信号は標準振幅復調器３２に通されテレビジョンベースバンド信号を限定する。このベースバンド信号は別々のパスを通って検出装置に転送される。パスＡは標準ライン（水平線）受信機に入力する。上記受信機３３はテレビジョン画像を定めるために通常使用する１またはそれ以上のライン情報を受信する。それは上記情報をディジタル検出器３４に通し、検出器３４は上記情報中に埋め込まれたディジタル信号情報を検出する働きをし、検出した信号情報を制御器３９に入力する。パスＢは標準オーディオ復調器３５に入力し、それはオーディオ情報を高域フィルタ３６に転送するする。上記フィルタ３６は、上記オーディオ情報の興味のある部分を限定し、ディジタル検出器３７に転送する。ディジタル検出器３７は上記オーディオ情報に埋め込まれた信号情報を検出し、検出した信号情報を制御器３９に入力する。パスＣは、上記テレビジョンチャネルの他の部分に埋め込まれた信号情報を検出するディジタル検出器３８に入力し、検出した信号情報を制御器３９に入力する。ライン受信機３３、高域フィルタ３６、検出器３４、３７、３８および制御器３９は、すべて制御器３９の制御下で動作する。
　第２Ｂ図はラジオ信号デコーダの一例を示す。第２図中のデコーダ４０はかかるデコーダの一つである。選択された興味のある周波数は、固定した周波数で標準ラジオ受信機回路４１に入力され、それは上記周波数のラジオ情報を受信し、上記ラジオ情報をラジオデコーダ４２に転送する。ラジオデコーダ４２は上記ラジオ情報中に埋め込まれた信号情報をデコードし、上記デコードした情報を標準ディジタル検出器４３に転送する。上記検出器４３は、上記デコードした情報中の二進信号情報を検出し、上記信号情報を制御器４４に入力する。回路４１、デコーダ４２、及び検出器４３はすべて制御器４４の制御下で動作する。
　第２Ｃ図は信号デコーダを示す。このデコーダはテレビまたはラジオ以外の周波数中に埋め込まれた信号情報を検出し処理する。選択された他の周波数（マイクロ波周波数のような）は適当な他の受信器回路４５に入力される。上記回路４５は情報を受信し、検出器４６に転送する。上記検出器４６は二進信号情報を検出し、上記信号情報を制御器４７に入力する。回路４５と検出器４６は制御器４７の制御下で動作する。
　各デコーダは、バッファ、マイクロプロセッサ、ＲＯＭ及びＲＡＭの能力を備えた制御器３９、４４又は４７によリ制御される。制御器３９、４４又は４７のＲＯＭはＥＰＲＯＭの能力を持つ。上記ＲＯＭ又は／ＥＰＲＯＭは、その制御器３９、４４又は４７を独自に識別できるディジタル符号を持っている。上記制御器３９、４４、又は４７は、上記ＥＰＲＯＭの消去能力を有し、上記ＲＡＭとＥＰＲＯＭは再プログラム可能である。制御器３９、４４又は４７は、如何なる信号情報をも自動的に処理するように、予めプログラムされている。制御器３９、４４又は４７は、その信号デコーダの装置を制御し、制御情報を上記装置に伝える手段を有する。上記制御器３９、４４又は４７は、信号処理装置２６の制御器２０と制御情報を通信する手段をも有する。
信号処理システム
　信号処理装置と方法は、信号処理装置に焦点を定めた拡張システムを必要とする。第２Ｄ図は信号処理システムの１つの実施例を示す。上記システムは信号処理装置２６及び外部デコーダ２７、２８、２９を持つ。各外部デコーダは、入力される周波数の性質により、ＴＶ信号デコーダ（第２Ａ図）又はラジオ信号デコーダ（第２Ｂ図）又は他の信号デコーダ（第２Ｃ図）となる。各デコーダ２７、２８、２９は１つの選ばれた周波数を受信し、検出、訂正、変換及び多分修正を施した信号をバッファ／コンパレータ８及び他の装置に転送する能力を有する。各デコーダ２７、２８、２９は監視情報をバッファ／コンパレータ１４に転送する能力をも有する。制御器２０は、全てのデコーダ装置２７、２８、２９、３０、及び４０を制御することができる。
　設置されたデコーダの必ずしも全てが第２Ａ図、第２Ｂ図、第２Ｃ図の全ての装置を必要とするわけではない。例えば、テレビジョンのベースバンド信号は第１図のデコーダ２０３に入力されるので、上記デコーダはフィルタ３１と復調器３２を必要としない。
　デコーダ２７、２８、２９はバス１３により監視情報をバッファ／コンパレータ１４に伝える。
総合システムの信号
　総合システムの信号は、送信局がそれによって加入者局におけるプログラミングの操作、生成、表示を制御する属性である。（“ＳＰＡＭ”は本発明の信号処理装置と方法（ｓｉｇｎａｌ　ｐｒｏｃｅｓｓｉｎｇ　ａｐｐｒａｔｕｓ　ａｎｄ　ｍｅｔｈｏｄｓ）を指す。）ＳＰＡＭ信号は、放送局、ケーブルシステム・ヘッドエンド（ケーブル放送の中間送信局）及び媒体センタを制御する。送信を再送信する局は中間送信局で、加入者がプログラミングを見る所は最終受信局である。
　本発明は、全ての局と装置を呼出し、制御し、整合するための一体化したシステムを与える。一つの目的は、従来からのハードウェアを働かせる一方で、新たに開発されたハードウェアを適応させる能力を持たせることである。これは、この一体化システムが１つの不変な様式の信号構成から成り立つものでないことを意味する。それは、むしろ一群の様式である。従って、本明細書は“簡単な望ましい実施例”や“最も簡単な望ましい実施例”について述べており、ただ１つの望ましい実施例について述べているのではない。
信号情報の構成
　ＳＰＡＭ信号は二進情報を持つ。第２Ｅ図は信号情報の一例（誤り訂正に必要な専用ビットを除く）を示す。情報はヘッダで始まるが、ヘッダは、それに続く情報パターンを分析する際に加入者局装置を同期させる。上記ヘッダに続いて実行セグメント、計測・監視セグメントおよび情報セグメントがある。ヘッダ、実行セグメント、計測・監視セグメントはコマンドを構成する。コマンドは特定の加入者局装置にアドレスされ、上記装置に“制御された機能”を実行させる。計測・監視セグメントは、加入者局信号処理装置システムに計測記録と監視記録を集めさせ、記録させ、遠隔局へ送信させる。
　最も簡易な望ましい実施例では、全てのヘッダは２ビット二進情報からなり、コマンドは三つの二進ヘッダで識別される：
　１０…実行セグメントに対してのコマンド
　００…実行と計測−監視セグメントに対してのコマンド；および
　０１…情報セグメントを伴う実行と計測−監視セグメントに対してのコマンド
　実行セグメント情報は、コマンドがアドレスする加入者局装置と、上記装置が実行すべき制御された機能を含む。“ＩＴＳ”は中間送信局（ｉｎ−ｔｅｒｍｅｄｉａｔｅ　ｔｒａｎｓｍｉｓｓｉｏｎ　ｓｔａｔｉｏｎ）装置を指し、“ＵＲＳ”は最終受信局（ｕｌｔｉｍａｔｅ　ｒｅｃｅｉｖｅｒ　ｓｔａｔｉｏｎ）装置を指す。アドレスされた装置の例には次のものがある：
　ＩＴＳ制御器／コンピュータ（第６図中の７３）ＵＲＳ信号処理装置（第７図中の２００）
　ＵＲＳマイクロコンピュータ（第７図中の２０　５）
制御された機能の例には次のものがある：
　情報セグメントの内容のロードとラン
　計測・監視セグメント中に指定されたビデオ重畳組合せの開始
　情報セグメントの内容のプリント
実行セグメントは予めプログラムされた動作指示を加入者局装置で発動する。夫々適当にアドレスされた装置と制御機能の組合せに対して、独自の二進値が割当てられる。望ましい実施例においては、各実行セグメントは同数のビットを持つ。
　“疑似コマンド”と呼ばれるコマンドはどの装置にもアドレスされない。疑似コマンド信号の送信によリ、送信局は受信局装置に制御機能を働かすことなく計測−監視情報を記録させる。
　計測−監視セグメントは計測情報と／または監視情報を含んでいる。例えば、計測指示、送信の発生、主題事項を識別する符号とプログラミングのための独自の符号を含んでいる。各カテゴリに対してセグメント内に情報を含むための“フィールド”が存在する。
　例えば送信の発生というような任意のカテゴリの中では、各ネットワーク源、放送またはケーブルの中間送信局というような、夫々明確な項目が独自の二進符号を持つ。計測−監視情報のカテゴリの数は１つのコマンドから次のものへ変わるから、計測−監視セグメントの長さは変わる。各セグメントは、フォーマットのセグメントを特定するフォーマットフィールドを含んでいる。上記フィールドの中には、上記フォーマットの中のビット数を識別する“長さのトークン”がある。第２Ｆ図は１つの計測−監視セグメント（誤り訂正に必要なビットを除いた）を例示する。長さのトークンのビットは先頭にある。
　情報セグメントはコマンドに続き、如何なる長さでもよい。情報セグメントは処理装置が処理可能なものであれば、どんな情報でも送信することができる。
　望ましい実施例中では、“パッディング（埋草）ビット”が、任意のＳＰＡＭのコマンドを、通信に十分なビット長にしている。
　所定のヘッダをつけて送信された全ての情報は“メッセージ”と呼ばれる。そしてあるメッセージは、１つのヘッダの最初のビットから次のヘッダの前の最後のビットまでの全ＳＰＡＭ情報から構成されている。任意のＳＰＡＭ送信の情報は一連のメッセージ又はメッセージの流れで構成されている。
　ヘッダと、ある長さのトークンと、“ファイルの終り信号”で構成されているケイデンス情報は、加入者局装置にヘッダ情報の各例をメッセージの流れの中から識別させ、それ故に上記流れの個々のメッセージを識別可能にする。加入者局装置はケイデンス情報を処理するために予めプログラムされる。“１０”ヘッダのコマンドはヘッダと実行の合計が固定長のものである。長さのトークン情報を処理するように加入者局装置を予めプログラムすることによって、本発明は、上記装置が“００”ヘッダに続くビット、すなわちヘッダ情報の次例であるビットを決定できるようにする。ファイルの終り信号を検出するように装置を予めプログラムすることによって、本発明は、上記装置が“０１”ヘッダに続くビット、すなわちヘッダ情報の次例であるビットを決定できるようにする。望ましい実施例では、ファイルの終り信号は“１”のビットの連続で構成される。（“１”はＥＯＦＳ（ファイルの終り）ビットで、“０”はＭＯＶＥ（進行）ビットである。）上記連続の長さ（誤り訂正情報を無視して）は上記連続を識別するのに必要な最小のものである。任意の時に長さの変更が存在する。１つのファイルの終り信号は５バイトのＥＯＦＳビットである。他の１つは１１バイトのＥＯＦＳビットである。何れが使われるかは、上記信号が起きる送信の性質による。
　第２Ｉ図にＳＰＡＭメッセージの流れの１例を示す。各矩形は１つの信号語を表わす。第２Ｉ図は３つのメッセージのシリーズを示す。それぞれは全信号語で構成されている。最初のメッセージは、コマンドとそれに続くパディングビット、情報セグメント及びファイルの終り信号で構成される。第２のメッセージは、コマンドとそれに続くパディングビットで構成される。第３のメッセージは１コマンドのみで構成される。
ファイルの終り信号の検出
　本発明では、どのマイクロプロセッサ、バッファ／コンパレータ、又はバッファも、ファイルの終り信号を検出するのに適合させることができる。そのように適合させた装置での専用能力は、比較目的用の３つの記憶位置を含み、１つはカウンタとして働き、３者は真／偽情報を保持する。上記位置は夫々“ワード評価位置”、“標準ワード位置”、“標準長位置”、“ワードカウンタ”、“ワードフラッグ”、“エンプティフラッグ”、“コンプリートフラッグ”である。全ての動作指示は所謂“ファームウェア”として予めプログラムされる。上記専用能力は“ＥＯＦＳバルブ”である。ワード評価位置と標準ワード位置は通常のダイナミックメモリ内の位置で、夫々、１信号語を保持できる。標準長位置とワードカウンタは、ダイナミックメモリ内の位置で、最小、１バイトを保持できる。ワードフラッグ、エンプティフラッグ、およびコンプリートフラッグは夫々ダイナミックメモリ内の位置で、１ビットを保持できる。上記ワード評価位置には受信したＳＰＡＭ情報の１信号語がある。上記標準ワード位置にはＥＯＦＳの複数ビットの１信号語がある。ＥＯＦＳの複数ビットの１語は１“ＥＯＦＳワード”である。“ワードカウンタ”には、上記ＥＯＦＳバルブが中断なしで連続的に受信したＥＯＦＳワードの数の情報がある。上記フラッグ位置には、真か偽の条件を反映する“０”又は“１”が含まれる。
　ＥＯＦＳバルブは１転送装置から１つのＳＰＡＭ送信の二進情報を受信し、情報を１受信装置に出力する。
　１個のファイルの終り信号が検出されていることが確認されると、上記バルブは、ファイルの終り信号が出ていることを装置に知らせる。１例として、制御器の制御の下で動作している装置に対して、指示は、上記バルブに、ＥＯＦＳ−検出情報を上記制御器に送信させ、次に上記制御器からの制御指示を待機させる。上記ＥＯＦＳ−検出情報は、上記制御器に、上記バルブで情報をどのように処理するかを決定させ、そして送信後待機指示又は廃棄後待機指示の何れかを上記バルブに送信させる。上記送信後待機指示は、上記バルブに上記制御器へ、一つの完全なファイルの終り信号を転送させ、次に完了後待機情報を送信させる。代わりに、上記廃棄後待機指示は、上記バルブに上記制御器へ、上記ワードカウンタの情報を単に零にセットさせ（それによリ上記ファイルの終り信号を捨てる）、完了後待機情報を送信させる。望ましい実施例では、上記ＥＯＦＳ−検出情報と上記完了後待機情報は上記制御器のＣＰＵへの割込みとして送信される。
　ファイルの終り信号を明確に規定するために、少なくとも１つのムーブ（ＭＯＶＥ）ビットを持つ信号語が、任意のファイルの終り信号である中断なく連続した複数のＥＯＦＳワードの直前に、常に送信される。
通常送信位置
　ＳＰＡＭ信号は送信局で作られ、テレビジョン、ラジオ又は他のプログラム中に埋め込まれる。テレビジョンでは、通常の送信位置は、テレビジョン画像の各フレーム間の垂直帰線期間中である。ラジオでは、通常の送信位置は、人の耳で可聴な音響周波数帯域の上の超音波帯域にある。放送印刷またはデータ通信では、通常の送信位置は通常の情報と同じである。
信号処理装置システムの動作
　第２Ｄ図のシステムと第１図の装置が共同して動作している加入者局に焦点を合わせた５例について述べる。第３図はかかる局の一つを示す。ＳＰＡＭ−制御器２０５Ｃはデコーダ２０３の制御器３９（第２Ａ図、第３Ａ図）のような制御ユニットで、マイクロコンピュータ２０５のＣＰＵへの情報転送とそれからの受信ができ、またマイクロコンピュータ２０５の一つまたはそれ以上の入力バッファに情報を転送することができる。ＳＰＡＭ−制御器２０５ＣはＰＣ−マイクロキー１３００システムを直接制御することができる。
　全ての５例は“一組合せ媒体”を組み合せている第１Ｃ図に関係している。第１例は、デコーダ２０３、ＳＰＡＭ−制御器２０５Ｃ、およびマイクロコンピュータ２０５の基本動作に焦点を合せている。組み合せ情報は各加入者局で表示される。第２例では、第１Ｃ図の組み合せが、選択された加入者局でのみ起こる。第２例の組合せ同期指示は部分的に暗号化されており、上記加入者局は、上記指示を解読するように予めプログラムされている。上記指示は上記加入者局に計測情報を保持させる。第３例では、組み合せ情報は各加入者局で表示される。監視情報は、視聴率とプログラム利用に関する統計を集める１つ又は以上の“視聴率評価”機関のために選択された局で処理される。第４例は、選択された解読と計測の二番目の実例を示す。監視情報は選択された局で集められる。第５例は、信号処理装置２００のデコーダ３０、４０で識別された信号を加え合わせる。終りの３つの例では、最初の組合せ同期指示は、選ばれた加入者局に、記録した計測や監視の情報を転送させ、また遠隔機関のコンピュータに上記情報を受信し処理するようにさせる。
　各例は３つのメッセージに力点を置いている。第１は第１組合せ同期指示に関連している。上記指示は“０１”のヘッダ、一つの実行セグメント及び６フィールドよリなる計測−監視セグメントを有し、これらに続いてプログラム指示セットとファイルの終り信号が在る。上記指示はＵＲＳ（最終受信局すなわち加入者局）のマイクロコンピュータ２０５にアドレスされる。各計測−監視フィールドは下記の１つを識別する。
　・上記“ウォール街ウィーク”送信の起源
　・上記“ウォール街ウィーク”プログラムの主題事項
　・上記プログラムのプログラム単位
　・上記送信の日
　・プログラム指示セットの提供者
　・上記セグメントのフォーマット
（プログラムのユニットを識別する計測・監視情報は”プログラムユニット識別コード”と呼んでも良い。）第２メッセージは第２組合せ同期指示についてである。上記指示は“００”のヘッダと、実行セグメントと、５フィールドの計測・監視セグメントを有し、ＵＲＳのマイクロコンピュータにアドレスされる。各計測・監視フィールドは下記のうちの一つの情報を持っている。
　・上記“ウォール街ウィーク”プログラムの主題事項
　・上記プログラムのプログラムユニット
　・上記プログラムユニットに与えられた上記オーバレイの独特のコード
　・上記送信の記録、および
　・上記セグメントのフォーマット
第３メッセージは第３組合せ同期指示についてである。上記指示は“１０”ヘッダと実行セグメントを有し、ＵＲＳマイクロコンピュータ２０５にアドレスする。暗号化した指示の中で、計測・監視セグメントは、もう１つの追加フィールドである“計測指示”を含んでいる。
　すべての加入者局装置は、各例の各段階を自動的に実行するように予めプログラムされている。ＳＰＡＭ信号情報を受信すると加入者局装置はこの情報を処理する。
　それぞれの例の最初には、それ以前のプログラムの計測記録情報がバッファ／コンパレータ１４に存在する。監視記録情報はデコーダ２０３の情報源マークをつけてバッファ／コンパレータ１４にある。レコーダ１６は次の信号を記録すると満杯を超えるレベルに到達している。
例＃１
　第１例は、分割器（デバイダ）４が第１メッセージの埋込まれた二進法情報を転送し始めると始まる。（ビットの量や位置の特徴が頻繁に引用される。パリティビットに対しては何等考慮されていない。何故なら、通信情報のビットをパリティビットとは別に識別し処理する技術は良く知られているからである。）
　ヘッダと実行セグメントを受信すると、制御器３９は、上記メッセージがＵＲＳマイクロコンピュータ２０５にアドレスされることを確認し、上記メッセージを転送する。このように上記メッセージを転送することは制御機能である。制御器３９は第１ビットの中の予めプログラムされた一定数のビットを選択する。上記の一定数はヘッダの中のビット数で“Ｈ”と呼ばれる。制御器３９は第２の予めプログラムされた一定数のビットを選択する。上記定数は実行セグメントの中のビット数で、これを“Ｘ”と呼ぶ。実行セグメントを予めプログラムされた制御機能呼出し情報と比較して、制御器３９は情報を整合させ、これにより、制御器３９は予めプログラムされた２０５への転送指示を実行するようになる。
　（ＳＰＡＭ装置において、実行セグメント情報を制御機能呼び出し情報と比較して、整合に失敗したときはいつでも、上記失敗により、上記装置は、上記セグメントのメッセージの全情報を捨てるようになる。）
　ヘッダと実行セグメントを受信するとＳＰＡＭ制御器２０５Ｃは実行セグメントを、制御機能呼び出しの＠２０５の情報と比較するようになる。比較することによって、その結果、ＳＰＡＭ制御器２０５Ｃに、ロードーラン−そしてコードの指示を実行するようにさせる情報と整合するようになる。
　（制御器３９とＳＰＡＭ制御器２０５Ｃの間には、第１組合せ同期指示の実行セグメントの中で何の変化もおこらない。これは、装置が予め異なってプログラムされているので、与えられたＳＰＡＭ指示が、異なった制御機能を異なった装置に呼び出すという多くの例の１つである。）
　ＳＰＡＭ制御器２０５Ｃは長さのトークンを処理しなければならない。上記指示はＳＰＡＭ制御器２０５Ｃに、第３の予めプログラムされた一定数のビットを選択するようにさせる。上記の一定数は長さのトークンにおけるビットの数で、これを“Ｌ”と呼ぶ。上記Ｘビットの直後のビットで始まると、ＳＰＡＭ制御器２０５ＣはＬビットを選び整合を決める。上記整合は、ＳＰＡＭ制御器２０５Ｃに、特定のビット長の数の情報を上記メモリに設定させる。上記情報は、上記Ｌビットの最後のものに続くビット数であって、メータ・モニタセグメントの中に残るものであり、いくつかの予めプログラムされたビットの長さの数の代替情報である。任意の与えられた長さのトークンに関連する代替ビットの長さの数は“ＭＭＳ−Ｌ”である。
　前記の“ヘッダ＋実行”定数を“Ｈ＋Ｘ”と呼び、“Ｈ”と“Ｘ”を加えたものである。
望ましい制御器３９
　望ましい実施例としては、デコーダ２０３の制御器３９とＳＰＡＭ制御器２０５Ｃは同じものだから今後は“制御器３９”と呼ぶ。
　第３Ａ図は制御器３９を示す。バッファ３９Ａと処理器３９Ｂは前段の誤り訂正を行う。バッファ３９Ｃと処理器３９Ｄはプロトコル変換を行う。制御機能は制御処理器３９Ｊで呼び出される。３つの処理器を持つことによって、制御器３９は３つの語の情報を同時に処理できるようにする。
　各処理器３９Ｂ、３９Ｄおよび３９Ｊは、ＲＡＭとＲＯＭを有して、プログラム可能な制御器を自己の権限で構成する。各プロセッサ３９Ｂ、３９Ｄおよび３９Ｊは、それぞれ関連のバッファ３９Ａ、３９Ｃおよび３９Ｅを制御する。各バッファは通常のバッファである。各バッファ３９Ａおよび３９Ｃは、それぞれの情報を関連の処理器３９Ｂおよび３９Ｄにそれぞれ転送する。バッファ３９ＥはＥＯＦＳバルブ３９Ｆ経由で、マトリックススイッチ（電子交換機）３９Ｉへ情報を転送する。
　バッファ３９Ｇは通常のバッファで外部からの入力情報を受ける機能、特に信号プロセッサ２００（制御器１２からＳＰＡＭ制御器２０５Ｃ第３図）の制御器１２からの入力情報を受ける機能を持っている。バッファ３９ＧはＥＯＦＳバルブ３９Ｈを経由してマトリックススイッチ３９Ｉへ情報を送る。バッファ３９Ｇは制御処理器３９Ｊを識別するよう仕組まれたもので、この制御処理器３９Ｊの入力は、任意の情報源であり、任意の受信情報を選択し送信する機能がある。
　ＥＯＦＳバルブ３９Ｆおよび３９Ｈは制御処理器３９Ｊに制御されて動作し、ファイルの終り信号まで継続しで庸報を監視する。
　マトリックススイッチ３９Ｉはディジタルマトリックススイッチで電話交換技術界で周知のもので、必要な小数入出力に相応するよう仕組まれている。マトリックススイッチ３９Ｉは、制御処理器３９Ｊに制御されて動作し、ＥＯＦＳバルブ３９Ｆおよび３９Ｈおよび制御処理器３９Ｊを含む多重入力情報の受信機能をもち、同時に上記情報を制御処理器３９Ｊ、マイクロコンピュータ２０５のＣＰＵ、信号プロセッサ２００のバッファ／コンパレータ８、信号プロセッサ２００のバッファ／コンパレータ１４、およびその他の出力を含む多重出力への転送機能をもつ。このような出力の中には、１つ又は以上の“ゼロ出力”すなわち出力のない、単にメモリで情報を記録するだけの、それによって、前に記録した情報を書き直すだけのものもある（他の出力の例は下記に挙げる。）。マトリックススイッチ３９Ｉは情報転送を無修正で行い、同時に多重転送を行う。
　制御処理器３９Ｊのレジスタメモリは、ビット場所の長さが、関連パッディングビツトを含んで最長例のＳＰＡＭコマンド情報を含むのに充分なＳＰＡＭ入力信号レジスタメモリを含む（しかしそれに限定しない）、すなわち、前述のＳＰＡＭヘッダおよびＳＰＡＭ−実行レジスタメモリ、つまり、ＳＰＡＭ−フラッグモニタ情報、第２制御レベルのＳＰＡＭ−フラッグ、ＳＰＡＭ−フラッグ実行第２コマンド、ＳＰＡＭ−フラッグ２次レベル未完、ＳＰＡＭ−フラッグ１次レベル第２ステップ未完、ＳＰＡＭ−フラッグ１次レベル第３ステップ未完、ＳＰＡＭ−フラッグ２次レベル第２ステップ未完、ＳＰＡＭ−フラッグ２次レベル第３ステップ未完、ＳＰＡＭ−フラッグ第１条件失敗、ＳＰＡＭ−フラッグ第２条件失敗、ＳＰＡＭ−フラッグ計測するな、およびＳＰＡＭ−フラッグ動作中のレジスタメモリで、それぞれは、ビットの長さ１ビットのものであり、ＳＰＡＭ長さ情報、ＳＰＡＭｍｍフォーマット、ＳＰＡＭ第１事前条件、ＳＰＡＭ第２事前条件、ＳＰＡＭ最終０１ヘッダ実行のレジスタメモリ、特定ＳＰＡＭ解読マーク、ＳＰＡＭ１次入力源、ＳＰＡＭ２次入力源、ＳＰＡＭ次の１次指示アドレス、ＳＰＡＭ次の２次指示アドレス、ＳＰＡＭ実行２次コマンド、ＳＰＡＭ最終２次０１ヘッダ実行、ＳＰＡＭ１次割込による次の指示アドレスおよびＳＰＡＭ２次割込による次の指示アドレスのレジスタメモリおよび複数の動作中レジスタメモリである。制御器３９を制御する制御機能および指示に関連するすべての事前プログラムされた情報は、制御処理器３９Ｊに関連するＲＡＭおよび／またはＲＯＭにおいて事前プログラムされる。
　制御処理器３９Ｊはデコーダ２０３（解読器３９Ｋを除く）のすべての装置を制御し、それら装置との制御指示の送信および情報受信の機能がある。これに加えて制御処理器３９Ｊは、あるＳＰＡＭ機能の中で、ＣＰＵと、マイクロコンピュータ２０５のＰＣマイクロキー１３００システムとを制御し、またＳＰＡＭマトリックススイッチ３９Ｉを経由して上記ＣＰＵおよび上記システムからの制御情報を送受する能力がある。ある種の機能では、信号処理装置２００の制御器２０は制御処理器３９Ｊを制御し、制御処理器３９Ｊは制御器２０との間で制御情報を直接送受する機能がある。制御処理器３９Ｊに関連するＲＡＭおよび／またはＲＯＭは、制御に必要な全ての情報に対して予めプログラムされている。
　制御器３９は、解読器３９Ｋをもち、これは信号処理装置２００の解読器１０と同様なものである。解読器３９Ｋはマトリックススイッチ３９Ｉから情報を受け、バッファ３９Ｈへ送出し、信号処理装置２００の制御器２０との間で直接制御情報を交換する機能をもち、上記制御器２０によって制御される。解読器３９Ｋは予めプログラムされており、そして下記に詳述するように、ＳＰＡＭメッセージの情報を処理する機能がある。
　望ましい実施例においては、速度を最高にするため制御器３９のすべての装置は１つのマイクロチップに収められる。
例＃３（第３メッセージ）
　“ウォール街ウィーク”の第３メッセージの埋込み情報は、デコーダ２０３に入力される。制御処理器３９ＪはＸビットの情報を選び比較する。整合していれば、制御処理器３９Ｊに２０５におけるオーバーレイを止める指示を実行させる。上記指示は制御処理器３９Ｊに、マトリックススイッチ３９Ｉに、制御処理器３９Ｊからマイクロコンピュータ２０５のＰＣ一マイクロキーシステムヘの情報転送を開始させ、また上記システムヘ“グラフィックスオフ”を指示させ、マトリックススイッチ３９Ｉに制御処理器３９Ｊからマイクロコンピュータ２０５のＣＰＵへの情報転送を開始させ、更に下記に詳述する“クリアアンドコンティニュー”指示を上記ＣＰＵに送信させる。
例＃４
　例＃４においては、第１と第２のメッセージは共に部分的に暗号化され、第１Ａ図と第１Ｂ図との組合せが、選ばれた加入者局においてのみ発生し、そこでは、上記メッセージが組合せはもとより、計測情報の解読と収集をさせることになる。上記メッセージはまた、監視情報を収集するように予めプログラムされている選択された局で監視情報を集めさせることになる。
　第１メッセージが埋込まれる前に、実行セグメント、計測監視セグメントおよびプログラム指示が暗号化される。カデンス（ｃａｄｅｎｃｅ流れ）情報は符号化されないままである。実行セグメントの符号化は、符号化後上記セグメントがＵＲＳ信号処理装置２００にアドレスするセグメントと同じになるようになされる。そして、信号処理装置２００に解読キーＺを使うよう指示し、上記セグメントにあるメッセージを解読させる。
　上記メッセージを受け取ると第３図の局は符号部分を解読し、解読情報の制御機能を実行し、計測情報および監視情報を収集し、上記局が上記情報を処理できるように、１つ又は以上の遠隔局にメータ情報とモニタ情報を転送する。ＥＯＦＳバルブ３９Ｆが上記第１メッセージを転送し始めると、制御処理器３９ＪはＨビットを収容し得る最小信号語数を受入れ、ＳＰＡＭ入力信号レジスタメモリに上記の語を記録し、上記メモリにおいて最初のＨビットの情報を選択し、上記情報をＳＰＡＭヘッダメモリに記録し、ＥＯＦＳバルブ３９ＦからＳＰＡＭ信号語の受入れを再開し、既にそこにある情報の後、語数がＨ＋Ｘビットを収容し得る最小語数に達するまで、上記ＳＰＡＭ入力信号メモリに語を受信し記録し、上記メモリにおいて最初のＨビットの後最初のＸビットの情報を選択する。そして上記情報をＳＰＡＭ実行メモリに記録し、上記メモリの情報を制御機能呼び出し情報と比較する。整合すれば制御処理器３９Ｊが予めプログラムされた指示を実行するようになり、またその指示によリ、制御処理器３９Ｊが、制御器２０に送信制御手段を経由して、割込み信号を、それから、“このメッセージを処理せよ”の情報を、それから、３９Ｊにおける情報を、それから上記メッセージのヘッダと実行セグメントの情報を転送するようになる。
　上記割込み信号および情報を受けることによって、制御器２０は、実行セグメントと制御機能呼び出し＠２００情報とを比較して、制御器２０に、解読キーＺを使って、上記第１メッセージを解読するよう指示する情報との整合を決定するようにさせる。
　（キーＺを使って予めプログラムされていない加入者局においては、整合し損なうと上記局は上記メッセージを放棄するようになる。）
　第３図の加入者局は、上記メッセージを解読するように予めプログラムされている。３９Ｊにおける情報と整合は、制御器２０に、Ｚのキー情報を選択させ、上記情報を、それから“解読０１メッセージ”指示を解読器３９Ｋに転送させ、それから制御処理器３９Ｊに、ある指示とＺのマーク情報を送信させる。この指示は制処理器３９Ｊに”解読と計測０１メッセージ”を実行させる。
　上記指示は、制御処理器３９Ｊにマトリックススイッチ３９Ｉに、制御処理器３９Ｊから解読器３９Ｋへの情報転送を開始させ、そして上記ＳＰＡＭ入力信号メモリにおけるすべてのＳＰＡＭ情報を転送させ、マトリックススイッチ３９ＩにＳＰＡＭメッセージ情報をＥＯＦＳバルブ３９Ｆから解読器３９Ｋへの転送を開始させる。このやり方で制御処理器３９Ｊは上記第１メッセージを解読器３９Ｋへ転送する。
　そして上記指示は制御処理器３９Ｊに対して、上記指示の１次制御の下における２次レベルで、解読された情報によって呼び出された制御機能の実行を準備させる。制御処理器３９Ｊは、制御が１次レベルに戻ったとき実行されるように“解読と計測０１メッセージ”指示の位置を規定する“ＳＰＡＭの次の１次指示アドレス”レジスタメモリに情報を設定し、またＳＰＡＭ２次入力源レジスタメモリに３９Ｈからの情報を設定し、マトリックススイッチ３９Ｉに、ＳＰＡＭメッセージ情報を、ＥＯＦＳバルブ３９Ｈから制御処理器３９Ｊへ転送を開始させる。また制御処理器３９Ｊは、ＳＰＡＭ実行メモリに続いて設定された情報が２次レベル情報であることを意味する“ＳＰＡＭフラッグ実行２次指示”レジスタメモリに“０”を設定する。またさらに制御処理器３９Ｊは、制御機能が上記２次レベルにあることを意味する２次レベルのＳＰＡＭフラッグに“０”を設定する。そして、後続のＳＰＡＭヘッダの情報をスイッチ３９Ｉから受信するのを待ち始める。
　解読器３９ＫがＳＰＡＭメッセージ情報を受信すると解読器３９ＫはキーＺを使って解読し、解読情報をバッファ３９Ｇへ転送する。解読０１メッセージ指示は、解読器３９Ｋに、最初のＨビットを解読しないで転送させ、それから上記ビットに続く全情報を解読させ転送させる。
　ＥＯＦＳバルブ３９Ｈが最初のメッセージの解読情報の転送を始めると、制御処理器３９Ｊは最初のＨビットの後の最初のＸビット情報を選択し、上記情報をＳＰＡＭ実行メモリに記録し、そして上記メモリにおける情報を制御機能呼び出し情報と比較する。整合すれば、制御処理器３９Ｊは“ロード−ラン−コード”指示を実行する。上記指示は制御処理器３９Ｊに解読された長さのトークン情報を受信させ処理させる。制御処理器３９ＪはＳＰＡＭ入力信号メモリに付加信号語を記録し、最初のＨ＋Ｘビットの後の最初のＬビットの情報を選択し、上記情報をＳＰＡＭ長さ情報メモリに記録し、受信すべき特定数の信号語を決定し、上記ＳＰＡＭ入力信号メモリに順に上記の語を記録し、ＳＰＡＭ信号情報の受入れを止める。
　上記ロード−ラン−コード指示は制御処理器３９Ｊにローディングを開始させる。制御処理器３９Ｊは、マイクロコンピュータ２０５のＣＰＵにマトリックススイッチ３９Ｉから情報の受信を開始させ、主ＲＡＭに上記情報のローディングを開始させ、マトリックススイッチ３９ＩにＥＯＦＳバルブ３９Ｈから上記ＣＰＵへの情報を転送することを開始させる。ＥＯＦＳバルブ３９Ｈにおける最初の信号語、これは上記メッセージのプログラム指示セットの最初の信号語であるが、その信号語が始まると、マイクロコンピュータ２０５はそれを内部記憶に取り入れる。
　そこで上記“ロード−ラン−コード”指示が、制御処理器３９Ｊに、上記ＳＰＡＭ入力信号メモリにおけるプログラムユニットの識別コードのあり場所を探し出させ、ＳＰＡＭ“第１事前条件”レジスタメモリに、上記コードを記録させ、“ファイルの終り”信号の待機を始めさせる。
　制御処理器３９Ｊは、待機開始の指示を受けると何時でも、その指示は、上記プロセッサ３９Ｊに、前述の２次制御レベルのＳＰＡＭフラッグメモリの情報と“０”情報とを比較させる。その比較結果が整合すると、制御処理器３９Ｊに、制御が２次レベル指示に戻ったら実行するために次の指示の位置を、ＳＰＡＭ次の２次指示アドレスレジスタメモリに設定させ、ＳＰＡＭフラッグ２次制御レベルメモリに“１”を設定させ、そしてＳＰＡＭ次の１次指示アドレスメモリに位置する指示で始まる指示の実行を開始させる。
　上記の位置から始まる解読と計測０１メッセージ指示は、制御処理器３９Ｊに計測をさせる。その指示は、処理器３９Ｊに、スイッチ３９Ｉをして、処理器３９Ｊからバッファ／コンパレータ１４への情報の転送を開始させ、そして計測情報、デコーダ２０３源マーク情報、マークＺ解読情報、それからＳＰＡＭ“入力信号”メモリにおけるすべての受信情報、の送信を識別するヘッダ情報を転送させる。上記受信情報は第１組合せ同期指示であって、バッファ／コンパレータ１４へ送信された上記情報を“第１計測・監視情報（＃４）”と呼ぶ。それからその指示は、制御処理器３９Ｊに、ＳＰＡＭフラッグ１次レベル第３段階未完レジスタメモリに、“計測段階完了”を意味する“１”を入れ、そして“ファイルの終り”信号の待機を開始させる。
　やがて、ＥＯＦＳバルブ３９Ｆはファイルの終り信号を受け始める。上記信号を受けると、加入者局に内部メモリヘの取込みを止めさせ、暗号解読を終わらせ、１つの機械語プログラムとして、そのプログラム指示セット情報を実行させる。そしてＥＯＦＳバルブ３９Ｆから次に来るＳＰＡＭメッセージのヘッダを受信するように待機を始める。
　上記プログラム指示セットをランさせることによリ、マイクロコンピュータ２０５（および他の加入者局においてはＵＲＳマイクロコンピュータ）が、ビデオＲＡＭに第１Ａ図の映像情報を設定するようにし、“完了オーバーレイ数”情報を制御処理器３９Ｊへ転送するようにする。上記の情報は、制御処理器３９ＪにＳＰＡＭ“２次事前条件”レジスタメモリにおいて最初のオーバーレイを意味する“０００００００１”を設定させる。
　上記第１計測・監視情報（＃４）を受けてバッファ／コンパレータ１４は制御器２０へ予めプログラムされ計測指示情報を送信し、それから上記メッセージの計測指示を送信する。
　上記情報は制御器２０に対して上記指示と予めプログラムされた計測指示＠２０情報とを比較させ、制御器２０で事前プログラムされた３セットの指示を呼び出す整合を決定させる。この最初のセットは第１計測記録の最初のアセンブリを作り始める。第２のセットは第２記録のアセンブリを作る。制御器２０は選択して上記第１記録のアセンブリを作りバッファ／コンパレータ１４に特定記録位置を設定し、フォーマット情報を記録し、そして上記第１計測・監視情報（＃４）の計測・監視フィールドからユニット情報をプログラムし、第２フィールドから情報送信源を、第３フィールドから情報送信の日付と時間を、解読マークから解読キー情報を、そしてクロック１８から日付と時間情報をプログラムする。上記第２セットの制御のもとに、制御器２０はバッファ／コンパレータ１４の第２記録の位置に記録フォーマット情報を、それから上記プログラム指示セットの供給者情報を、プログラムユニット情報を、送信情報源を、第４フィールドから送信情報の日付と時間を、そしてクロック１８から日付と時間情報の順に設定する。上記第３セットは、制御器２０にバッファ／コンパレータ１４をして、上記の第２記録をレコーダ１６へ転送させ、上記記録を自分のメモリから捨て、レコーダ１６に上記記録を記録させる。
　計測機能が完了すると、制御器２０は、バッファ／コンパレータ１４に、予めプログラムされた監視機能を実行させる。バッファ／コンパレータ１４は、上記第１計測・監視情報（＃４）のソースマークが、事前にモニタ２０２Ｍに表示された事前プログラムの監視記録に関連するソース情報と整合することを決め、しかし、上記第１計測・監視情報（＃４）のプログラムユニット情報は、上記監視記録のプログラムユニット情報とは整合しないことを決める。従って、バッファ／コンパレータ１４は、信号処理装置２００に、上記監視記録をレコーダ１６に記録させ、バッファ／コンパレータ１４における上記監視記録を第１計測・監視情報（＃４）の情報に基づく新しい監視情報と取替えさせる。
例＃４（第２メッセージ）
　第１Ａ図の映像情報は、第１メッセージが解読された加入者局にある。上記の加入者局だけが第１Ｃ図情報を表示できる。上記第２メッセージを受けると、その加入者局（他の加入者局も）は、符号化された部分の解読をするようになる。Ｊのキー情報および解読００メッセージ指示により、解読機３９Ｋは、最初のＨビットをバッファ３９Ｇへ上記ビットを解読しないままで転送し、次のＸビットを解読して転送し、次のＬビットを上記ビットの解読なしで転送し、次のＭＭＳ−Ｌビットを解読して転送し、そして、上記ＭＭＳ−Ｌビットの最後の残留ビットがあれば、上記残留ビットを解読しないで転送するようになる。
　上記の情報を受取ると、制御処理器３９Ｊは“２０５における条件付オーバーレイ”指示を実行する。上記指示は制御処理器３９Ｊにプログラムユニットフィールドの計測・監視情報（これはプログラムユニットの識別コード）の位置を探し出させ、そして上記情報をＳＰＡＭ第１事前条件メモリにおける情報と比較させ、結果的に整合を生じさせる。（加入者局において、プログラムユニットフィールド情報がＳＰＡＭ“第１事前条件”メモリ……全局が解読キーＺで事前プログラムされていない場合を含む……の情報に整合できない場合、２０５における“条件付オーバーレイ”指示はマイクロコンピュータ２０５のメインＲＡＭとビデオＲＡＭをクリアさせ、上記第２メッセージによって呼び出されたすべての制御機能を完了するようにさせる。）
　結果が整合であれば、そこで制御処理器３９Ｊは計測・監視情報のオーバーレイ番号フィールドを位置決めし、上記情報とＳＰＡＭ第２事前条件レジスタメモリにおける情報と比較し、結果的に整合させる。（加入者局でオーバーレイ番号がＳＰＡＭ“第２事前条件”メモリにおける情報との整合ができない場合、２０５の条件付きオーバーレイ指示は、制御処理器３９Ｊに、マイクロコンピュータ２０５のＣＰＵの動作に割込みをかけさせ、効率運転を回復させる。）
　整合が成功すれば、制御処理器３９ＪはＰＣマイクロキーシステムに“グラフィックスオン”の指示を送る。
　２次制御で制御機能が完了すると、制御処理器３９Ｊ（および他局のプロセッサも）は、解読と計測００メッセージ指示の計測の部分を実行する。制御処理器３９Ｊは、計測情報の送信や、デコーダ２０３のソースマークや、キーＪの解読マークの情報や、それから上記第２のメッセージの受信情報を識別するヘッダ情報を、バッファ／コンパレータ１４に転送する。
　上記情報は、制御器２０に更新して１増やせ指示を実行させる。上記指示は、信号処理装置２００に、第１計測・監視情報（＃４）で作られた第１計測記録を修正させる。制御器２０は、上記第１計測記録に関連する記録フィールドに、オーバーレイナンバーフィールドの情報を設定して、上記オーバーレイの組合せを示させ、また制御器２０は、解読マークと整合する各解読キー比較データに付けた計測記録を１だけ増大させ、そしてバッファ／コンパレータ１４に監視機能を実行させる。情報はオンボード制御器１４Ａに新しいモニタ記録を作らせる。上記マークの存在はオンボード制御器１４Ａに解読キー情報Ｊを含ませる。
例＃４（第３メッセージ）
　第３メッセージは例＃３の第３メッセージと同一で、同じ処理をする。しかし例＃４の第３メッセージは、第２のメッセージが組合せを開始させた場合にのみ組合せを止めさせる。
例＃５
　例＃５においては、デコーダ３０および４０で検出されたプログラムユニット識別信号に重点を絞る。信号処理装置２００は、当該場所においてそれぞれの送信を識別する情報で予めプログラムされている。制御器２０は発振器６を制御し、ケーブルチャネル２、４、７、１３、ラジオ（無線）チャネル５、９というようなパターンに順に配列するようにし、それから上記パターンを繰り返すようにする。
　例＃５は“ウォール街ウィーク”の第１メッセージの放送で始まる。ミキサ３はチャネル１３の周波数を選択し、上記周波数をデコーダ３０へ入力する。上記周波数を受信すると、デコーダ３０は、（これは第２Ａ図に詳細に示すとおりで、その制御器３９は第３Ａ図に示すとおりである。）第１組合せ同期指示を受信して、制御処理器３９Ｊの“ＳＰＡＭ入力信号メモリ”に上記指示を記録するようになる。
　デコーダ３０は上記情報を監視情報および局部制御情報として処理するように予めプログラムされている。上記指示を受け取ると、制御処理器３９Ｊはケーブルチャネル１３のチャネルマークに関連させたＲＡＭの中でモニタ情報を探し出し、上記指示のプログラムユニットの識別コードを、上記情報のプログラムユニット情報と比較する。一致しなければ、ケーブルチャネル１３が新しいプログラムユニットを出力していることを示す。一致しない場合、上記制御器３９は、“ウォール街ウィーク”に先立ってケーブルチャネル１３にのせて送られたプログラムのモニタ情報である上記情報をＲＡＭの中に転送する。制御処理器３９Ｊは“００”ヘッダと、次に疑似指示の実行セグメント情報と、次に上記監視情報を含む計測・監視セグメントとから成るメッセージを送信する。上記メッセージは“第１旧プログラム＃５”である。制御処理器３９Ｊは、上記第１指示が主題の計測・監視情報を含み、この情報が、制御処理器３９Ｊに、“００”ヘッダと、次にマイクロコンピュータ２０５にアドレスされた実行セグメント情報と、次にプログラムユニット識別コードと上記第１指示の主題情報とおよびケーブルチャネル１３のチャネルマークとを含む計測・監視セグメント情報とから成るメッセージを送信させることを決める。上記メッセージは第１新プログラム（＃５）である。制御処理器３９ＪはＲＡＭに上記マークとともに上記第１指示の計測・監視情報を記録する。制御器３９Ｊは検出完了情報を制御器２０へ送信する。
　検出完了情報を受信すると、制御器２０は無線チャンネル５を選択する。無線チャンネル５において、続いてくる指示はＩＴＳ（中間送信局）制御器／コンピュータ７３にアドレスされている。それにもかかわらず、デコーダ３０の制御処理器３９Ｊは上記指示の計測・監視情報を処理する能力がある。上記指示を受信すると、制御処理器３９Ｊはバッファ／コンパレータ８へ“第２旧プログラム（＃５）”と呼ばれるメッセージを転送する。
　デコーダ３０への無線チャンネル９の入力が始まると、遠隔無線局は通常の送信パターンでは信号情報は送信しない。一定の時間が経過すると無線チャンネル１３が選択される。
　デコーダ３０がビデオ送信を処理している間、ラジオ信号デコーダ４０は、ミキサ２から入力されたラジオ送信を処理している。（デコーダ４０は第２Ｂ図に詳細に示され、制御器４４は第３Ａ図の制御器３９と同じものである。）
　その例の中でバッファ／コンパレータ８は、デコーダ３０から第１、第２および第３旧プログラム（＃５）メッセージおよび第１新プログラム（＃５）を受信し、そしてデコーダ４０から第１旧ラジオプログラム（＃５）および第１新ラジオプログラム（＃５）メッセージを受信する。すべてがコマンドである。第１新プログラム（＃５）は、マイクロコンピュータ２０５に、上記マイクロコンピュータが下記に述べる方法で局装置に同調できるような新しいプログラム情報を送る。上記コマンドは１つの“ガイド（案内）コマンド”である。第２旧プログラム（＃５）および第１旧プログラム（＃５）はどのような装置にもアドレスされていない。それぞれは、“透明コマンド”である。
　それぞれのガイドコマンドは、制御器１２に、上記コマンドのメッセージをデコーダ２０３の制御器３９のバッファ３９Ｇに入力させる指示を呼び出す。　それぞれの透明コマンドはどんな制御機能も呼び出さない。例＃５において、制御器１２は、モニタ情報を処理するよう予めプログラムされている。各コマンドがどんな制御機能も呼び出していないということを送信または決定した後、制御器１２はバッファ／コンパレータ１４に、使用できるプログラムのモニタ情報の送信を識別する見出しヘッダ情報を、次に上記ＳＰＡＭ入力信号メモリに記録されたすべての情報を転送する。信号処理装置２００は、例＃３および＃４と同様な方法でモニタ情報を処理する。新しいプログラムメッセージを受けると、信号処理装置２００はレコーダ１６に、ある記録を記録するようになる。
信号記録転送
　各例において、レコーダ１６が、信号記録情報の記録を完了したとき、レコーダ１６は自己の記録の量を計測して、上記の量が特定の充満情報より多いことを確認する。上記確認により、レコーダ１６は、制御器２０に電話接続２２を起動させるという、“呼（電話の発信）”指示を転送し、遠隔局のコンビュータヘ情報を転送する。制御器２０は電話番号１−８００−ＡＵＤＩＴＯＲ（オーディタ・会計検査官）を転送、ダイアラ（ダイヤル発信者）２４に上記番号をダイヤルさせる。上記コンピュータが答え、制御器２０はＲＯＭ２１の特異なディジタル識別コードを転送する。制御器２０はレコーダ１６に記録を上記コンピュータに送信させ、そして記録情報を消させる。
プログラム受信と使用の調整
　第４図は本発明のプログラムの受信と使用の調整システムを示す。加入者局は通常のアンテナ１９９で無線伝送の受信が、またコンバータボックス２０１および２２２で、ケーブル伝送の受信が可能である。上記のボックス２０１、２２２は通常のケーブルコンバータボックスで、多重チャネル伝送から選択された１チャネルの情報を受信し、選択情報を与えられた出力周波数に変換することができる。そのチャネルは通常のチューナ２１４および２２３で選択される。アンテナ１９９およびボックス２０１および２２２はマトリックス（電子交換機）スイッチ２５８（これも通常のマトリックススイッチである）に送信する。上記スイッチが出力している出力先の１つの装置はテレビチューナ２１５である。第４図の構成は第１図および第３図と異なり、テレビチューナ２１５は音声とビデオの出力を上記マトリックススイッチ２５８に出力している。第４図では、上記スイッチ２５８は上記モニタ２０２Ｍおよびデバイダ（分割器）４への入力を出力する。第４図は５つの追加装置を示す。解読器１０７、２２４および２３１は通常の解読器で、暗号化されたディジタル情報を受け、選択された暗号法と選択された暗号キーを使って解読し、解読情報を出力することができる。信号ストリッパ２２９は通常の信号ストリッパで、ビデオ情報の送信を受信し、埋込み信号情報を選択的に除去し、また除去された情報のない送信を出力することができる。信号発生器２３０は通常の信号挿入器で、ビデオ情報の送信を受け、信号情報を選択して埋込み、そして埋め込まれた情報を有する送信を出力することができる。マトリックススイッチ２５８は、それぞれの上記装置に対し、選択された送信を出力することができ、それぞれの上記装置は、自己の情報を上記スイッチ２５８に対して出力する。信号処理装置２００はすべての装置を制御する。信号処理装置２００はチューナ２１４、２１５および２２３の同調を制御し、スイッチ２５８のスイッチングを制御し、暗号法およびキー情報を解読器１０７、２２４および２３０に供給し、またこれらの解読器を制御し、信号ストリッパ２２９を制御して、送信の位置を選択し、ストリップかストリップ中かのアンド・オア情報の選択をさせる。また信号発生器２３０を制御して、信号を挿入する位置を選択させ、特殊信号を発生させ、およびこれを挿入させる。デバイダ（分割器）４、モニタ２０２Ｍ、デコーダ２０３およびマイクロコンピュータ２０５は第１図および第３図に示すように機能し、また制御されている。ローカル入力２２５は信号処理装置２００の制御器２０への制御情報をつくり、これを送信する手段をもっている。好ましい実施例では、ローカル入力２２５は、タッチトーン電話機か、マイクロコンピュータキーボードの手法で、キーによって起動される。マイクロコンピュータ２０５はデコーダ２０３を経由して制御器２０へ制御情報を入力する機能がある。
例＃７
　例＃７は第４図の方式の動作を示す。“ウォール街ウィーク”をつくるプログラム生成のスタジオは、ビデオとディジタル音声のテレビ信号を暗号でなく中間送信局（ＩＴＳ）に送出する。“ウォール街ウィーク”を第４図の加入者に再送信する中間送信局は、第６図のようなケーブル方式の“ヘッドエンド”である。この再送信に先立って、上記中間局は、ディジタル音声を符号化し、上記プログラムをケーブルチャネル１３に午後８時３０分にのせて送信する。
　加入者は“ウォール街ウィーク”を見たいので“可能（エネーブル）−ＷＳＷ−ｎ−ＣＣ１３−ａｔ８：３０”情報を受けると、制御器２０は、特定の“受信許可情報”指示を実行する。午後８時３０分に先立つエネーブリングの開始時に、制御器２０は、事前プログラムされた“可能−ｎｅｘｔ−ＣＣ１３”情報をデコーダ３０の制御処理器３９Ｊに送信する。そして上記プロセッサ３９Ｊに上記情報を“制御機能呼び出し”情報の位置に設定させる。そしてスイッチ１およびミキサ３に“マスターケーブルコントロールチャネル”を選択させ、“可能−ｎｅｘｔ−ＣＣ１３”情報の１つの例を“制御機能呼び出し＠２０”情報の位置に設定する。
　エネーブリングの開始時と午後８時３０分との間の時間に、上記“ヘッドエンド”は、“０１”ヘッダと、上記“可能−ｎｅｘｔ−ＣＣ１３”情報に整合する実行セグメント情報と、可能−ＷＳＷ−プログラミング情報を含む特定の“可能−ＣＣ１３”指示の情報セグメント情報と、および上記マスタコントロールチャネル上の“ファイルの終り”信号とから構成されるＳＰＡＭメッセージを送信する。
上記メッセージは“ローカルーエネーブリング−メッセージ＃７”である。
　上記メッセージは、デコーダ３０に実行セグメントを選択させ、“可能−ｎｅｘｔ−ＣＣ１３”情報を上記“制御機能呼び出し”情報の位置で整合させる。整合が決まると、制御処理器３９Ｊは、上記の位置に関連する指示を実行する。上記の指示は、制御処理器３９Ｊに上記のメッセージを制御器２０へ転送させる。
　上記メッセージを受けると、制御器２０は、“可能−ＣＣ１３”指示をロードし、上記指示を実行する。上記指示は、制御器２０に、予めプログラムされ選択されたＳＰＡＭ情報をサンプルとしてためすようにさせ、許可されない不正（ｕｎａｕｔｈｏｒｉｚｅｄ　ｔａｍｐｅｒｉｎｇ）が起こったか否かを決定させる。制御器２０はＲＯＭ２１で特異なディジタルコード情報を選択し、上記情報を６５、５３６で割った商を計算する。上記商の整数部分を選択する。上記整数値を基にして、上記指示を選択サブルーチンに分岐する。そして上記サブルーチンを実行する。上記サブルーチンは制御器２０に、上記“可能ＣＣ１３”指示情報を含む１６連続ビットの位置の情報を選択させ、その選択情報を、その局の信号処理のＲＡＭかＲＯＭの１６連続ビットの位置情報に比較させる。整合すれば上記ビットの位置が正しく事前プログラムされていることを示す。（同時に他の局が比較する。整合がうまくいかないところでは、不整合ということで、制御器２０が特定ＲＡＭを消し、遠隔局と電話連絡をして、不正らしい情報はもとより、ＲＯＭ２１の特異のディジタルコード情報を送信することになる。）
　整合するようになれば、制御器２０は、選択した装置に、ケーブルチャネル１３の送信を受信するようにさせ、音声を解読し、次の可能，情報の受信を待機させ、そして計測記録をつくらせる。制御器２０は、マトリックススイッチ２５８に、解読器１０７からの情報を信号処理装置２００へ転送させる。信号処理装置２００は上記情報をスイッチ１（図には示してない。）の第３接点で受ける。そこで上記指示によって、制御器２０は、制御処理器３９Ｊに、上記“可能−ｎｅｘｔ−ＣＣ１３”情報（上記情報重複）によって占領された制御機能呼び出し情報の位置に可能−ＷＳＷ−プログラミング情報の１例を設定するようにさせ、そして制御器２０に、可能−ｎｅｘｔ−ＣＣ１３情報によって占領された制御機能呼び出し＠２０情報の位置に可能−ＷＳＷ−プログラミング情報の１例を設定するようにさせる。
　しかる後、上記スタジオは、０１ヘッダと、上記可能−ＷＳＷ−プログラム情報を整合する実行セグメント情報と、メータ・モニタ情報と、情報セグメント情報としてのステージ−ＷＳＷプログラム指示と、およびファイルの終り信号とから成るＳＰＡＭメッセージを音声に埋め込んで送信する。上記のメッセージを“ＷＳＷ−可能−メッセージ＃７”とする。
　上記メッセージを送信すると信号処理装置２００は、上記メッセージを検出し、制御器２０はステージ−ＷＳＷ−プログラム指示を実行する。制御器２０はマトリックススイッチ２５８に、チューナ２１５から解読器２２４ヘビデオを転送させ、解読器２２４は上記ビデオをマトリックススイッチ２５８へ転送する。
　普通の場合、上記指示を実行すると、制御器２０は“ウォール街ウィーク”から情報を取り去ったり、情報を挿入するようになる。（情報を取り去られたことによって、チップは役立たなくなり、マイクロコンピュータ２０５またはモニタ２０２Ｍがビデオを処理したり表示したりすることができないようになる。）制御器２０はＲＯＭ２１で特異のディジタルコード選択し、発生器２３０にビデオ送信の指定位置に、上記コードを挿入させる。（もしも海賊版が出廻ったら解読が起こった局を識別することができる。）
　ストリッパ２２９および発生器２３０がストリッピング（剥ぎ取り）と挿入を正しく実行すれば、その局はテレビジョンをマイクロコンピュータ２０５とモニタ２０２Ｍへ転送し始める。午後８時３０分上記スタジオは“ウォール街ウィーク”を送信し始める。そこでその局は“一組合せ媒体”および例＃４に述べた手法で動作するようになる。
　前述したものは、例によって示したものであって、発明の精神から離れないように修正が行なわれ得る。例えば解読器１０７、２２４および２３１はアナログテレビをデスクランブルする通常のデスクランブラでもよい。プログラムはモニタ２０２Ｍで表示（ディスプレイ）されるよりも、むしろレコーダに記録されても良い。遠隔局の送信機よりも、送信の源はローカルビデオテープか、またはレーザディスクプレーヤでもよい。
受信と運用のモニタ
　第５図はモニタ用に設計され、事前プログラムされた加入者局の実施例の１つを例示したものである。第５図は装置の代表グループを示し、他の多くの装置が含まれることがある。１個または複数の該当のデコーダが各中間および出力装置に関連している。ラジオチューナおよび増幅器２０７のところにはラジオデコーダ１３８および他のデコーダ２８１がある。テレビチューナ２１５のところにはテレビデコーダ２８２がある。音声レコーダ／プレーヤには他のデコーダ２８４がある。ビデオレコーダ２１７にはテレビデコーダ２１８がある。マイクロコンピュータ２０５にはテレビデコーダ２０３がある。他のチューナやレコーダプレーヤ２５７には他のデコーダ２８３がある。テレビモニタ２０２Ｍにはテレビデコーダ１４５がある。多画像テレビモニタ１４８にはテレビデコーダ１４９と１５０がある。スピーカシステム２６３には他のデコーダ２８５がある。プリンタ２２１には他のデコーダ２２７がある。他の出カシステム２６１には他のデコーダ２８６がある。各デコーダはその関連装置のユニットの物理的内部に置かれる。
　任意のＳＰＡＭデコーダは、単に関連装置の動作を監視するか、又は、ＳＰＡＭ制御機能を実行するために上記装置を制御する伜用をするだけである（この場合上記デコーダは制御機能を実行できるように予めプログラムされている）。第５図は各デコーダが監視情報を信号処理装置２００ヘバス通信手段で転送する能力があることを示している。上記情報は、上記バス方式通信を制御するオンボード制御器１４Ａによって処理装置２００において受信され処理される。デコーダ１３８、２８１、２８２、２８４、２１８、２８３、１４５、１４９、１５０、２８５、２２７および２８６は単に監視する。それぞれのものはそれぞれの関連する装置の回路の１点に位置しており、そこで上記のそれぞれのものは、関連装置が同調する周波数、チャネルまたは送信などの情報を受信する。それぞれのものは、すべての符号化されないＳＰＡＭメッセージの計測・監視情報を検出し、そして関連装置が同調する伝送の中に上記バス手段によリ転送するよう、予めプログラムされる。デコーダ２０３は、その関連装置であるマイクロコンピュータ２０５を監視するのみならず、また上記装置をも制御する。オンボード制御器１４Ａは単にモニタするだけのデコーダを制御する。ＳＰＡＭ制御機能を実行するデコーダは信号処理装置２００の制御器２０によって制御される。第５図において、デコーダ２０３だけがそのようなデコーダである。
　ＳＰＡＭ情報をレコーダによって通常の方法で記録されたオーディオおよび／またはビデオのプログラムに埋め込むことによって、これらの方法は、何に記録されているか、例えばビデオとオーディオのカセットレコーダにか、また人々が、どのように、そのようなレコーディングを再生するか、などの統計を集める技法を提供する。ビデオとオーディオのテープ、ビデオディスク、コンパクトディスクおよびデータの“ＣＤ　ＲＯＭ”ディスクは、上記テープまたはディスクがプレイされるとき、上記プログラムの使い方を識別するよう、予めレコードされたプログラムに埋め込まれた特別のコードを有する。
中間送信局の自動化
　第２図、第２Ａ図、第２Ｂ図、第２Ｃ図および第２Ｄ図に示す信号処理装置およびそれらの変形は、中間局を自動化する。そのように自動化された局は、単一の放送をする無線局から、多くのチャネルをケーブル放送するケーブルシステムにわたっている。
　第６Ａ図はケーブルテレビのヘッドエンドを示しており数チャネルをケーブル放送している。局はプログラム伝送を衛星アンテナ５０、低雑音増幅器５１および５２およびテレビ受信機５３、５４、５５および５６で受信する。マイクロウェーブ伝送はアンテナ５７およびテレビ受信機５８および５９で受信される。テレビ放送の伝送はアンテナ６０およびテレビ復調器６１で受信される。その他の伝送は他の入力装置６２で受信される。各受信機／変調器／入力装置５３〜６２は受信した伝送を通常のマトリックススイッチ７５へ転送する。スイッチ７５は１または複数のレコーダ／プレーヤ７６および７８へ出力する。またスイッチ７５は、ケーブルシステムのフィールドディストリビューションシステム（以後Ｆ．Ｄ．Ｓ．と略す）９３に多数チャネルにわたる伝送を出力する装置に出力する。このＦ．Ｄ．Ｓ．には変調器８３、８７および９１および多重化システム９２が含まれる。ビデオレコーダ７６および７８でプレイされるときは、予め記録されたプログラムはスイッチ７５を経由してＦ．Ｄ．Ｓ．９３に伝送される。
　従来技術では、受信後の入カプログラムの識別、ビデオプレーヤおよびレコーダ装置７６および７８の運転および記録類の保守はほとんど人手によっている。
　第６Ａ図は、これらの作業およびその他の作業を自動化するための信号処理装置を示す。
　それぞれの受信機／復調器／入力装置５３、５４、５５、５６、５７、５８、５９、６０、６１または６２とマトリックススイッチ７５との間に並んで、それぞれ専用の分配増幅器で６３、６４、６５、６６、６７、６８、６９または７０があり、それらはそれぞれの入力を２つの通路に分割する。１つの通路は通常の通路で、それによってプログラムは、各受信機／復調器／入力装置５３、５４、５５、５６、５７、５８、５９、６０、６１または６２からマトリッックススイッチ７５へと流れる。もう１つの通路は上記装置５３、５４、５５、５６、５７、５８、５９、６０、６１または６２からの伝送を個々に信号処理システム７１へ入力する通路となる。
　第２Ｄ図に示すようなシステムである信号処理システム７１において、各増幅器６３、６４、６５、６６、６７、６８、６９または７０の伝送は専用デコーダ（第２Ｄ図のデコーダ２７、２８および２９のような）へ入力される。その専用デコーダは上記増幅器６３、６４、６５、６６、６７、６８、６９または７０の伝送を連続的に処理し、そして、上記局装置へのアドレスである、上記伝送の中にあるＳＰＡＭメッセージを選択し、上記関連増幅器６３、６４、６５、６６、６７、６８、６９または７０を識別する、ソース（源）マーク情報を加え、そして上記ソースマーク情報のある、上記の選択されたメッセージを、コード読取機７２に転送する。信号処理システム７１はまた、システム７１を制御する信号処理手段をもっており、計測・監視情報を記録し、そして記録された情報を通信網９７へ転送する。
　コード読取機７２は、情報をバッファし、ケーブルプログラム制御器およびコンピュータ７３ヘパスする。
　ケーブルプログラム制御器およびコンピュータ７３は伝送局のための中央自動制御ユニットである。コンピュータ７３は、備付けのクロックを有し、すべての局装置の動作速度と容量に関する情報で、および上記装置とマトリックススイッチ７５との接続に関する情報で予めプログラムされている。コンピュータ７３は、ローカル入力７４から、および電話または他のデータ通信網９８を経由して遠隔局から入力を受信する手段ををもっている。そのような入力はプログラムユニット識別コードによって識別されたプログラムの各ユニットとともに、局の完全プログラムスケジュールを含む。そのような入力は何時そして如何にして局が各プログラムユニットを受信すべきか、何時、またどのチャネルまたは複数のチャネルで、また如何にして局がユニットを送るべきか、そのユニットは如何なる種類のプログラムであるか……例えば通常のテレビジョン、テレビ／コンピュータ組合せ媒体プログラムその他等々……また如何にして局がそのプログラムを処理すべきか、などを指示する。コンピュータ７３はスケジュール情報を受信し記録し、各制御された装置の動作状態を示す記録を維持するように予めプログラムされている。
　コンピュータ７３はテレビデコーダ７７、７９、８０、８４および８８（それぞれの詳細は第２Ａ図に示す）によって局の動作を監視する。コンピュータ７３は各デコーダ７７、７９、８０、８４および８８との間に制御情報を通信する手段をもち、また如何に動作させるかを指示し、如何に、また何処でＳＰＡＭ情報を探すべきかをそれぞれに指示する手段をもっている。デコーダ８０、８４および８８はＳＰＡＭ計測・監視情報を選択転送し、上記の情報を自己の内蔵するスケジュール記録の情報と比較することによって、コンピュータ７３は、スケジュールプログラムが局のそれぞれのケーブルチャネル上のＦ．Ｄ．Ｓ．９３に正しく送信されているかを確認できる。コンピュータ７３が誤りを検出したときは何時でも、コンピュータ７３は、事前に決めておいた誤り訂正手続きを実行する。
　ＳＰＡＭメッセージ情報とコード読取器７２から受信されたソースマーク情報によって、コンピュータ７３は、どのような特定プログラムユニットが各受信機５３〜６２によって受信されているか、またどのような特定プログラムユニットが、それぞれの分配増幅器６３〜７０を経由してマトリックススイッチ７５に並んで通過しているかを確認する。上記メッセージ情報の選択された計測・監視情報を、入力７４および／または網９８から受信されたプログラムスケジュール情報と比較することによって、コンピュータ７３は、何時、そしてどのチャネルまたはどの複数チャネルで局が、各受信したプログラムユニットのプログラムを送信すべきかを決定することができる。
　コンピュータ７３は制御情報をマトリックススイッチ７５およびビデオレコーダ７６および７８と通信する手段をもっており、選ばれたプログラムをＦ．Ｄ．Ｓ．９３に送信したリ、または記録したりすることができる。入カプログラムを直ちに再送信することを決定すると、コンピュータ７３は、マトリックススイッチ７５に上記プログラムを予定の出力チャネルに転送するように構成させる。入カプログラムが時間差を設けて伝送されるようなスケジュールで決められると、コンピュータ７３は上記のプログラムを記録するようになる。入カプログラムが伝送しないようなスケジュールにきまると、コンピュータ７３はマトリックススイッチ７５に、スイッチ７５の“出力なし”にプログラムを転送させるか、または選択されたレコーダ７６または７８に記録を止めさせるか、あるいはその両方を実行させる。
　コンピュータ７３は、どんなプログラムがレコーダ７６および７８にロードされているかを確認し、そしてプログラムユニットの出発点（または他の選ばれた点）の位置をプレイヘッドに位置付ける機能をもっている。プログラムがレコーダ７６または７８にのせてプレイされるときはいつでも、デコーダ７７または７９は、それぞれレコーダ７６または７８のプレイヘッドでプレイされる事前記録プログラムに埋込まれたＳＰＡＭ情報を検出し、上記ＳＰＡＭ情報をコンビュータ７３へ送信する。上記のＳＰＡＭ情報はプログラムユニット識別コード情報のみならず、与えられたＳＰＡＭメッセージが埋込まれているテープ上の点からプログラムユニットが始まる点（または他の選ばれた点）までの距離に関する情報をも含む。
　コンピュータ７３は、レコーダ／プレーヤにロードされたプログラミングのユニットを、１つのスケジュールに従ってプレイするように組織立て、かつその局スケジュールに従ってプログラムユニットをプレイする能力を持つ。
　選ばれた実施例では、最小２つの信号処理装置（上記システム７１の信号処理装置や信号処理装置９６のような）が任意の送信局の送信をモニタ（監視）する。
中間局組合媒体業務の自動化（例＃９を含む）
　この局は組合せ媒体プログラムの処理と送信の機能がある。第６Ａ図は、コンピュータ７３がプログラムからＳＰＡＭ情報を取去ることのできる、業界周知の信号ストリッパ８１、８５および８９を示し、またコンピュータ７３がＳＰＡＭ情報を埋込むことができる、業界周知の信号発生器８２、８６および９０を示すものである。上記発生器８２、８６および９０は、伝送中に、制御情報やプログラムをコンピュータ７３から受信し、そして上記情報を上記プログラムから識別する能力を持っている。
　例えば、コンピュータ７３は、ローカルに発生した指示セットをローカルな伝送の中に挿入しなければならない。プログラムユニットＱはローカルなスーパーマーケットの安売りと特別クーポンの宣伝である。安売りと買い得品に関する決まり文句は変わる、埋込まれた情報は、送信時に、ローカルなスーパーマーケットに合った決まり文句と品目を反映しなければならない。
　コンピュータ７３は組合せ媒体プログラムを処理するように予めプログラムされている。遠隔局が網９８を経由してユニットＱに関する情報を入力する時、上記局はコンピュータ７３にスケジュールされたＱのプレイに先立って、ある時間間隔をおいて発生を開始するように指示する。このような時間間隔は、ユニットＱの“インターバルＱ”のように“インターバル”と呼ばれる。発生の時間に先立ってローカルな決まり文句と品目の情報が適用される決まり文句と品目に関してコンピュータ７３に入力される。上記情報はローカル入力７４または網９８から入力される。
　１つのコンピュータに１つのプログラム指示セットを発生させる指示の例は、“中間発生セット”である。好ましい実施例では、中間発生セットはプログラムユニットの中に、上記中間セットがつくる通常のプログラムで予め記録されている。上記中間セットは上記の通常プログラムのスタートの前に予め記録される。中間セットは一般に自分のつくるプログラム指示セットの適用情報を含む。例えばＱの中間セットは、“４３”、“４５”および“ホットバージョンクイック（緊急版）”とアナウンサーが言う情報を含む。ローカルな決まり文句と品目が予めプログラムされていたコンピュータ７３で実行されると、中間発生セットの指示によリ、コンビュータ７３は、この送信の決まり文句と品目の情報を発生させ、それによって特定の中間局で特定の送信に適用できるプログラム指示セットを発生させる。そのようにして発生されたセットはコンピュータプログラム指示ＡＮＤ／ＯＲ（アンド／オア）データで構成されている。
例＃９
　例＃９は、ユニットＱのプログラム指示セットのプログラムの発生、埋込みおよび送信に焦点をあてる。
　Ｑの予定のプレイに先立ってＱ時間の間隔をおいて、予めプログラムした指示は、コンピュータ７３に発生を開始させる。上記指示は、コンピュータ７３に、マトリックススイッチ７５をしてレコーダ７６からの入力を出力なしに切り替えさせ、レコーダ７６にユニットＱのスタートをプレイヘッドのところに置かせ、デコーダ７７に全ビデオフレームのすべてのラインの信号の検出を開始させ、そしてレコーダ７６に、デコーダ７７がメッセージを検出するようなプレイを開始させる。上記メッセージは中間送信局（ＩＴＳ）コンピュータ７３にアドレスされ、“Ｑの中間発生セット”情報という情報セグメントを含む。
　上記メッセージは、コンピュータ７３（マイクロコンピュータ２０５のＳＰＡＭ制御器２０５Ｃに類似しており、以後コンピュータ７３と区別しない）のＳＰＡＭデコーダ装置に制御機能を実行させる。コンピュータ７３は上記中間セットをＲＡＭに入力させられ、ユニットＱの通常のテレビプログラムのスタートをレコーダ７６のプレイヘッドに位置づけ、そして上記セットを機械語のジョブとして実行させる。
　上記セットはコンピュータ７３に此の送信の決まり文句と品目の情報を計算させる。コンピュータ７３が始めた時、ローカルな決まり文句と品目の情報は、次の情報を含む：
　　ａは　１０００．００
　　ｐは　．００６２５
　　ｑは　．１２
　　ｄは　．１
　　ｚは　２７５
　　ｒは　．００７
　　ｓは　２．００
　ｄｄは　．１１
中間発生セットは（２）式と（３）式によって変数ｂおよびｃの値を計算するような指示を含む。コンピュータ７３は、ａ、ｐ、ｑ、ｄ、ｚ、ｒ、ｓおよびｄｄの情報を選択してｂの値が６２．２１８７５であると；ｃの値が２．１１７であると計算；そして上記プログラム指示セットの一般に適用される情報の中にある高級言語行の中の変数ａ、ｂ、ｃを置き換えさせて次式：
　Ｙ＝ａ＋ｂ＋（ｃ＊Ｘ）
を、此の送信の決まり文句と品目の情報として次のようにならせる：
　Ｙ＝１．０００＋６２．２１８７５＋（２．１１７＊Ｘ）
コンピュータ７３は、他の変数を選択、計算し、高級言語記号の完成例が作られ、メモリ内に存在するまで、他の変数値を置き換える。コンピュータ７３は、Ｑのプログラム指示セットであるプログラム実行ファイルをコンパイルし、結び付け、発生する。
　上記中間セットはコンピュータ７３に”データモジュールセット”と呼ばれるデータモジュールをつくらせる。コンピュータ７３は上記ローカルな決まり文句と品目の情報から、付近の全スーパーマーケットのストリートアドレス情報と注文取り電話番号１−８００　２４７−８７００を選択する。コンピュータ７３は選択した情報を中間送信局データと呼ばれるファイルの中に設定し、上記ファイルに“Ｑのデータモジュールセット”を構成させる。
　しかる後、Ｑのプレイ予定時間に、局はネットワーク送信をしている。プログラム発生スタジオにおいて、ＩＴＳ（中間送信局）のコンピュータ７３へのＳＰＡＭメッセージが送信される。信号処理システム７１のデコーダは分配増幅器６３の送信を受けて上記メッセージをソースマーク情報とともにコンピュータ７３に入力する。上記メッセージとマークは、コンピュータ７３に、レコーダ７６をしてプレイを開始させるようにさせ、マトリックススイッチ７５をしてレコーダ７６の出力をモデュレー夕（変調器）８３へ転送させる。このモデュレータ８３はユニットＱをＦ．Ｄ．Ｓ．９３に送信する。さらにプレイ予定くスケジュール）は発生器８２に、通常の送信場所（例えばテレテキスト）に他の信号情報を埋込むのを止めさせ、ＳＰＡＭ“ファイルの終わり”信号を送信させる。
　レコーダ７６は直ちにＱのプログラムに埋込まれた３つのＳＰＡＭメッセージを送る。最初のものは“整列ＵＲＳ（端末受信局）マイクロコンピュータ２０５メッセージ（＃９）”である。第２のメッセージは加入者局に対して充分な組合せ時間をゆるす上記第１メッセージの後一定の間隔をおいて埋込まれる。上記第２メッセージを“同期ＳＰＡＭ受信メッセージ（＃９）”と呼び、第３メッセージを“制御呼び出しメッセージ（＃９）”と呼ぶ。
　レコーダ７６をプレイさせることにより、デコーダ７７は、Ｑに埋込まれ中間伝送局（ＩＴＳ）コンピュータ７３にアドレスされた一連のＳＰＡＭメッセージを検出するようになる。
　第１メッセージは実行セグメントとメータ・モニタのセグメントを含む。上記メッセージは、コンピュータ７３に、“データモジュールセットメッセージ（＃９）”をつくらせ、送信させる。コンピュータ７３はストリッパ８１に通常の送信位置から、すべての信号を取り去るようにさせ、発生器８２にコンピュータ７３から受けた情報の埋込みを開始させ、上記メータ・モニタセグメントの情報を選択し、第６図の局と送信の時間を識別する情報を付加し、そして修正されたメータ・モニタ情報を保持し、発生器８２に上記メッセージの全情報を送信する。コンピュータ７３は、“０１”ヘッダと、ＵＲＳ（最終受信局）マイクロコンピュータ２０５にアドレスされたＳＰＡＭ実行セグメントと、上記保持されていた計測・監視情報、任意に要求されるパディングビット、上記中間送信局データのデータファイルの全情報、およびＳＰＡＭファイルの終り信号を送信する。上記メッセージを受けると、発生器８２は上記メッセージを上記システム９３に送信する。
　一連のメッセージの中の第２のメッセージは、コンピュータ７３に、上記Ｑのプログラム指示セットを含む第２メッセージをつくらせ、上記メッセージをＦ．Ｄ．Ｓ．９３に送信させる。上記メッセージを“プログラム指示セットメッセージ（＃９）”とする。
　第３のメッセージはコンピュータ７３に、ストリッパ８１に信号の取り去りを止めさせ、発生器８２に埋込みを止めさせる。
　その後、レコーダ７６がプレイされるとレコーダ７６は予めレコードされたＱのプログラムに埋込まれた８つのＳＰＡＭメッセージを送出する。上記メッセージは“第１−始め−出力メッセージ（＃９）”および“第１−止め−出力メッセージ（＃９）”を含む。
ネットワーク制御……例１０
　例１０において１つのプログラム発生スタジオがプログラムユニットＱのコマーシャルをネットワーク送信中に送り、複数の中間送信局（ＩＴＳ）を制御し、その各局が順に複数の端末受信局（ＵＲＳ）を制御する。第６図の局は１っの中間局である。例＃１０のプログラムユニットＱは例＃９のユニットＱと同じで各中間局はその局自身のプログラム指示セットを送信しなければならない。
　ずっと前に、完全な“ローカルフォーミュラおよびアイテム（ローカル式と項目）“情報が各中間伝送局のコンピュータ７３へ入力される。第６図の局のコンピュータ７３において、例＃１０の“ローカル式と項目”情報は例＃９と同じである。（第２中間局において“ローカル式と項目”情報はａは１０００．００、ｐは．００６２５、ｑは．１３、ｄは．１１、ｚは５３７、ｒは．００８２、ｓは１．９８そしてｄｄは１０である。）
　上記早い時間に、上記の制御された中間局のコンピュータ７３はある送信を受信させられる。そこでプログラム発生スタジオはＩＴＳコンピビュータ７３へ“発生セット情報メッセージ（＃１０）”を送信する。上記メッセージは各コンピュータ７３に此の送信の決まり文句と品目の情報を計算し、コンパイルし、Ｑのこの例の全プログラム指示セット情報を編集組合せさせ、上記情報をメモリに記録させる。例＃１０の第６図の局において作られたセットは“Ｑ．１プログラム指示セット”である。（第２の局において上記中間セットはコンピュータ７３に此の送信の決まり文句と品目の情報を計算させる。その式は：
　Ｙ＝１０００．００＋１３２．２３６２＋（２．０８８２＊Ｘ）
第２の局で作られたセットを“Ｑ２プログラム指示セット”とする。）
　例＃１０を下記のように検討する。
　今までのところでは、テレビを送信する中間伝送局について述べられてきた。この局は同じようにラジオプログラムを処理し送信することもできる。同様にその局は、放送プリントやデータ通信も送信することができる。中間送信局装置には、符号化された送信が解読され計測される第４図に示すような信号処理調整システム装置や、プログラミングの送信を選択的に符号化する装置や、第５図の趣旨によるモニタシステム装置を含む。
最終受信局（ＵＲＳ）の自動化
　信号処理装置は最終受信局を自動化する。第７図は１つの最終受信局の実施例を示す。これは第６図のＦ．Ｄ．Ｓ．９３の中にあり、そしてプログラムが表示されるような、家庭で、オフィスで、ホテルで、または任意の他の局での実施例である。
　第７図はプログラム（ＳＰＡＭ情報を含む）を選択的に入力する装置、選択的に処理および／または記録を行うための中間装置、選択的にプログラムを表示するための出力装置、他の制御装置および他の計測装置を示す。入力装置は衛星地球局２５０、衛星受信回路２５１、コンバータボックス２０１および２２２、アンテナ２９８および２９９および他の入力装置２５２（例えばレーザデイスクプレーヤ）を含む。上記装置は、それぞれの情報を通常のマトリックススイッチであるマトリックススイッチ２５８へ入力する。中間装置はマイクロコンピュータ２０５、テレビジョンレコーダ／プレーヤ２１７、音声レコーダ／プレーヤ２５５、コンピュータメモリュニット２５６（例えば固定ディスク）、解読器２２４、解読器２３１、信号ストリッパ２２９、信号発生器２３０および他の中間装置２５７例えば増幅器装置を含む。これに加えてテレビセットのチューナ２０２…これはテレビチューナ２１５であるが…（第７図においてモニタ２０２Ｍと区別していない。）およびラジオのチューナ／増幅器２０９…これはラジオのチューナおよび増幅器２１３…（第７図においてラジオ２０９と区別していない。）などが中間装置である。すべての中間装置は、それぞれのプログラム入力をマトリックススイッチ２５８から受信し、それぞれのプログラム出力をマトリックススイッチ２５８へ送信する。出力装置はテレビセット２０２のテレビモニタ装置、プリンタ２２１、スピーカシステム２６３および１つまたはそれ以上の他の出カシステム２６１を含む。すべての出力装置は、それぞれのプログラム入力をマトリックススイッチ２５８から受信する。その他の制御装置は電子作動の窓開閉装置２０８、炉２０６、空調装置２０７およびその他の被制御装置２６０を含む。その他の計測装置は電子作動公共事業用計器２６２を含む。
　１つまたはそれ以上のＳＰＡＭデコーダがＳＰＡＭメッセージ情報で制御される各装置の中に存在する。適当なデコーダがマイクロコンピュータ２０５、レコーダ／プレーヤ２１７および２５５（第６図の局の方式で使用できる）、ラジオ２０９およびテレビセット２０２（このテレビラジオセットは他の機能で起動され同調され、そして調整される）およびコンピュータメモリュニット２５６その他の中間装置２５７、プリンタ２２１、スピーカシステム２６３およびその他の出力装置２６１に、それぞれある。（簡単のために第７図は上記のデコーダを区別していない。）
　２つのマトリックススイッチ２５８および２５９は局装置間でプログラムおよびＳＰＡＭメッセージ／コントロール情報を通信している。スイッチ２５８は通常のマトリックススイッチでテレビ、ラジオおよびその他の電子通信プログラムを切り替える機能をもっている。マトリックススイッチ２５９はデイジタルマトリックススイッチで２進法情報通信の機能をもっている。マトリックススイッチ２５９によって、すべての装置はプログラム伝送の中で検出された制御情報およびＳＰＡＭメッセージを送受する。
　信号処理装置２００の制御器２０へのスイッチ要求情報を通信するため、上記のデコーダは、それぞれ分離された制御情報バス装置（第７図には示されていない）をもつ。制御器２０に位置しＣＰＵから分離されて上記ＣＰＵによって制御されるプロセッサ２０Ａは、上記バス装置の通信を制御する。
　信号処理装置２００は局の基本ＳＰＡＭ制御装置である。信号処理装置２００は制御情報を解読器２２４および２３１、信号ストリッパ２２９、信号発生器２３０、マイクロコンピュータ２０５およびマトリックススイッチ２５９と直接通信をする。マトリックススイッチ２５９を経由して信号処理装置２００は個々に、すべての制御される装置との制御情報の通信手段をもっている。前記のＳＰＡＭデコーダはマトリックススイッチ２５９によって相互に通信する機能をもっている。信号処理装置２００はマトリックススイッチ２５８および２５９を制御する。
　マイクロコンピュータ２０５は加入者の予めプログラムされた指示に従って局装置を制御する。マイクロコンピュータ２０５は制御情報（信号処理装置２００の制御下にある）をマトリックススイッチ２５９によって選ばれた装置間で通信する機能をもっている。（これは設備の代表的グループであり、さらに多くの装置が第７図には含まれることになる。）
ＳＰＡＭデコーダで選択された制御器に関する追加事項
　ＳＰＡＭデコーダの制御器３９、４４または４７は、マトリックススイッチ３９１からマトリックススイッチ２５９への情報の通信、およびマトリックススイッチ２５９からの情報を解読器３９Ｋ、バッファ３９Ｇおよび制御処理器３９Ｊにおいて受信する機能をもっている。上記制御処理器３９Ｊはスイッチ要求情報を信号処理装置２００へ、前記制御情報バス装置を経由して通信する機能をもち、さらにＳＰＡＭスイッチ接続レジスタメモリをもっている。
同時放送の調整
　第７Ｂ図はステレオ同時放送の制御を示す。
　受信機でチャネルを入れ、または変えるとき、上記受信機の装置が新しいチャネル情報の割込み信号を送り、それから上記信号を上記受信機（上記装置が入力手段を持っている受信機）に関連するデコーダの制御処理器へ入力する。
　加入者はラジオ局のステレオ同時放送のテレビプログラムを見ようとする。電源スイッチを入れ同調をするときチューナ２１５がデコーダ２０３の制御処理器３９Ｊへ新しいチャネル情報の割込み信号を入力する。上記の信号を受けると、上記処理器３９Ｊは、デコーダ２０３のすべての装置に、受信したＳＰＡＭ情報（それによって如何なる“ファイルの終り”信号も捨てる）を消すようにさせ、ＥＯＦＳバルブ３９Ｆに“ファイルの終り”信号の処理を開始するようにさせ、デコーダ２０３にテレビ受信を開始させる。
　やがて、プログラム発生スタジオでファイルの終り信号を埋込む。その後定期的に上記スタジオはラジオをＦＭ１０４・１へ同調せよのＳＰＡＭメッセージを送信する。
　上記メッセージを受けると、制御器３９は上記メッセージをラジオ２０９のラジオデコーダ２１０へ転送する。制御器３９は予めプログラムされた２１０への情報をＳＰＡＭスイッチ接続メモリの情報と比較する。結果が整合しないときは、制御器３９は制御処理器２０Ａに制御情報バス装置を経由して指示を入力させる。上記指示は、処理器２０Ａに、デコーダ２０３の制御器３９とデコーダ２１０の制御器４４との間に伝送リンクをつくらせる。マトリックススイッチ２５９は２１０への指示を制御器３９へ転送し、制御器３９に、２１０への情報を上記ＳＰＡＭ−スイッチ接続メモリに設定させ、上記メッセージを上記デコーダ２１０の制御器４４へ転送させる。上記メッセージは上記制御器４４にラジオ２０９をスイッチオンして周波数１０４．１ＭＨｚに同調させる。
　その局はモニタ情報を収集するよう予めプログラムされているので、上記ＳＰＡＭメッセージは監視情報を信号処理装置２００へ転送させる。
選択プログラムの受信
　第７Ｃ図はマルチチャネルの監視と選択プログラムの受信を示す。局は株式記録を保持し、上記株式関連ニュースを、デコーダ３０の制御処理器３９Ｊで、“Ｔ”を含む関心のあるニュース情報と共に受信するように予めプログラムされている。
　遠隔局はプリント送信を放送する。遠隔サービスＡ局は、“Ｔ”の主題情報を含むメッセージの中でＡＴ＆Ｔのニュース記事を送信する。上記メッセージを受けると、第６図の局は何回もディジタルチャネルでＡＴ＆Ｔを選べのメッセージを送信し、それからＡＴ＆Ｔニュースのメッセージを送信する。上記ＡＴ＆Ｔを選べのメッセージは“Ｔ”を含む。上記ＡＴ＆Ｔニュースのメッセージは上記ＡＴ＆Ｔのニュース記事を含む。
　信号処理装置２００は例＃５の手法ですべてのチャネルを走査する。やがて、ＡＴ＆Ｔを選べの１つのメッセージがデコーダ３０で検出され制御器３９へ入力される。上記メッセージを受信すると、制御器３９は、上記メッセージを信号処理装置２００の制御器２０にチャネルマーク情報とともに送信する。上記メッセージを受信すると、制御器２０は、コンバータボックス２２２に上記チャネルマークによって識別された伝送を受信するようにさせ、すべての信号デコーダ２９０（第２Ａ図のＴＶ信号デコーダと同じもので、さらに第２Ｂ図のラジオ信号デコーダと、さらに加えて第２Ｃ図のその他の信号デコーダの機能をもつ）に、検出されたＳＰＡＭ情報の処理を始めさせ、ボックス２２２とデコーダ２９０の間に伝送リンクを設立させる。
　やがて、上記ＡＴ＆ＴニュースメッセージはチャネルＡにのせて送信されデコーダ２９０の制御器３９へ入力する。上記メッセージを受けると、制御器３９は、マイクロコンピュータ２０５に上記メッセージを処理するようにさせる。マイクロコンピュータ２０５は、制御器２０に、マイクロコンピュータ２０５からプリンタ２２１に入力をスイッチさせ、プリンタ２２１に上記ＡＴ＆Ｔニュース記事をプリントさせる。
例＃７に関する追加事項……選ばれたコンピュ一夕システムヘの組合せ
　本発明では任意の与えられた組合せ媒体の組合せについてのコンピュータ情報は、複数のコンピュータから成るコンピュータシステムによって処理される。ここで複数のコンピュータそれぞれは加入者局にあって、すべてのコンピュータが、プログラム発生スタジオにおける一つの入力の制御のもとで並列処理をする。本発明はプログラム発生スタジオが、選ばれた複数のコンピュータを上記スタジオのコンピュータシステムに組合させることができるような能力を含む。
　複数の加入者局のマイクロコンピュータ２０５は関心のあるプログラム情報と選択して表示の指示によって予めプログラムされる。第７図および第７Ｃ図の局のマイクロコンピュータ２０５における関心のあるプログラム情報は、“ウォール街ウィーク（ＷＳＷ）”を見たいという加入者の意志を反映する特別ＷＳＷ情報を含んでいる。
　各中間局のコンピュータ７３は、上記の各局が“ウォール街ウィーク”を再送信する時間とチャネルを反映するスケジュール情報で予めプログラムされている。第６図の局のコンピュータ７３の情報は、ＣＣ１３と特に８：３０である。（他のコンピュータ７３はＣＣ１１と特に９：３０で予めプログラムされている。）
　プログラム発生スタジオは、一般に使われるｅｎａｂｉｅ（可能にせよ）−ＳＷ−ｏｎ−ＸＸＸＸ−ａｔ−ＹＹＹＹＹＹＹＹＹＹＹＹＹＹＹ情報および特定の−ＷＳＷ情報、時間指示および音声暗号化指示を含む情報セグメント指示の再送信準備メッセージを送信する。
　上記メッセージを受信すると、第６図の局は、情報セグメントをコンピュータ７３へ入力し、その入力を実行する。（他の局も同様に機能する。）上記指示は、上記コンピュータ７３に、可能にせよ−ＷＳＷ−オン（ｏｎ）−ＣＣ１３−アット（ａｔ）−パティキュラ（特に）−８：３０情報とＷＳＷプログラムを選べのＳＰＡＭメッセージを発生させ、上記メッセージをメモリに蓄えさせる。コンピュータ７３は、上記可能にせよ−ＷＳＷ−ｏｎ−ＸＸＸＸ−ａｔ−ＹＹＹＹＹＹＹＹＹＹＹＹＹＹＹ情報の中の変数ＸＸＸＸおよびＹＹＹＹＹＹＹＹＹＹＹＹＹＹＹを上記ＣＣ１３および上記特に８：３０情報に置き替えて上記情報を作る。（上記指示は上記他のコンピュータ７３に可能にせよ−ＷＳＷ−オン（ｏｎ）−ＣＣｌｌ−アット（ａｔ）−特に９：３０情報をつくらせる。）上記指示は、コンピュータ７３に、前述のローカルな−可能にせよ−メッセージ（＃７）である特定の−ＷＳＷ−可能にせよ−メッセージを作らせ、上記メッセージを記憶装置に蓄えさせる。
　上記時間指示は各中間局に、ＷＳＷプログラムを選べメッセージの送信を特定の時間に始めさせ、上記音声暗号化指示を特定の時間に実行させ、そして特定の−ＷＳＷ−可能にせよメッセージを特定可能時間の後で送信させる。やがて、上記時間指示はコンピュータ７３にＷＳＷプログラムを選べメッセージをケーブルチャネル１３の平常送信位置での送信を始めさせる。その後上記指示はコンピュータ７３に“ウォール街ウィーク”のプログラム発生スタジオの送信を受信させ、上記送信の音声部分を暗号化する装置に、マトリックススイッチ７５を経由して上記送信を入力させ、上記装置に暗号化させ、そして上記装置の出力を、マトリックススイッチ７５を経由してＦ．Ｄ．Ｓ．９３へ、さらにケーブルチャネル１３のモジュレータ８２、８６又は９０を経由して転送させる。
　第７図および第７Ｃ図の局の信号処理装置２００は１つの“ＷＳＷプログラムを選べ”メッセージを検出する。上記メッセージを受けると、信号処理装置２００は上記メッセージをマイクロコンピュータ２０５へ入力する。上記メッセージはマイクロコンピュータ２０５に上記特定な８：３０のＣＣ１３における可能なＷＳＷ情報を信号処理装置２００の制御器２０へ入力させる。
　そこで上記時間指示は上記コンピュータ７３に上記ローカルな−可能にせよ−メッセージ（＃７）を送信させる。
　上記ローカルな−可能にせよ−メッセージ（＃７）を第７図の局が受信すると、上記局は的確に例＃７のやり方で動作する。
コンピュータベース組合せ媒体の制御
　コンピュータベース組合せ媒体の制御処理は連続的で、各加入者局でユーザの最新のデータを系統的に入力し維持することを含んでいる。例えば、株式のデータが最新のものである加入者局においてのみ“ウォール街ウィーク”の第１メッセージが、現実に加入者のポートフォリオ（有価証券明細書）の動きを示す第１Ａ図のイメージをつくることができる。
　本発明は加入者局においてデータを入力して維持する手段と方法を提供する。マイクロコンピュータ２０５は内蔵モデムを持ち、電話またはデータ網２６２によって送信される情報を受けて、上記網２６２を経由して受けたデータを処理するように予めプログラムされている。加入者を代表する株式仲買人（ブローカー）が、上記加入者の代わりに株式を売ったり買ったりするときいつでも、上記仲買人の局のコンピュータはマイクロコンピュータ２０５に電話をかけ、取引データを入力し、マイクロコンピュータ２０５はそのポートフォリオデータを最新のものにする。各ウィークデイに遠隔株データ局が、その日のすべての株の終り値を送信し、そして各加入者局に、上記局のマイクロコンピュータ２０５で、上記コンピュータのポートフォリオの株のその日の終り値を選択記録させる。午後８時００分までにマイクロコンピュータ２０５（および他の局のマイクロコンピュータ２０５）のデータは最新化されている。
　その後“１つの組合せ媒体”および例＃４に述べられている組合せ処理が始まる。
　第１Ｃ図の組合せは大きな処理行程の一部分である。コンピュータ操作は時間がかかり、あるコンピュータは他のコンピュータよリ遅い。例えば１０００株のポートフォリオ価格計算は、１株のポートフォリオの計算よリ時間が長くかかる。
　この選ばれた実施例においては、情報が送信と全く同時に提供される通常のテレビと異なって、第２（または次の）オーバーレイのプログラム指示セット情報の送信と実行が、第１オーバーレイの組合せ同期コマンドの送信と第１オーバーレイのなくなる時間に優先できる。マイクロコンピュータが不完全なオーバーレイの表示に陥ることを防止するため、ＳＰＡＭメッセージは、組合させるオーバーレイはどういうものかをはっきりさせ、そしてそのオーバーレイが完全情報として存在する加入者局においてのみ組合させるようにした。例えば“ウォール街ウィーク”の第２メッセージは、ＳＰＡＭ第１事前条件とＳＰＡＭ第２事前条件のメモリにおける情報が上記メッセージの計測監視セグメントの選ばれた情報と整合する局においてのみ組合させるのである。最終的に効率的な運用を回復するために、一つの識別されたオーバーレイの完成情報が任意の局に存在しないため、上記の局で組合せに失敗したとき、制御器２０３は、組合せされるべきオーバーレイの次のオーバーレイを指示が作らせるような、コードの選択線にマイクロコンピュータ２０５をジャンプさせるようにする。
オーディオと他のオーバーレイ
　第７Ｄ図はラジオ／コンピュータの組合せ媒体を示すものである。チューナ２０９Ｔは通常のラジオの送信を受信する。デバイダ２０９Ｄは受信した伝送を２つの径路に分割し、１つをマイクロコンピュータ２０５へ送り、そして他の１つをラジオデコータ２１１へ送信する。デコーダ２１１は選択された情報を検出してマイクロコンピュータ２０５へ入力する。マイクロコンピュータ２０５はオーディオを受け、オーディオオーバーレイプログラムをつくり、組合せし、そしてオーディオをスピーカシステム２６３へ送信する機能がある。その動作の一例を示す。１つのラジオ局がラジオプログラムを送信し、マイクロコンピュータ２０５に事前録音された文章“そしてあなたのポートフォリオは上がりました”および“しかしあなたのポートフォリオの値は下がりました”のディジタルオーディオを録音させるＳＰＡＭメッセージを埋め込む。ラジオの送信は、アナウンサーが“株価は今日は大商（おおあきない）で上がりました”と云うのを伝える。そこで上記ラジオ局は音のしないオーディオを送信し、マイクロコンピュータ２０５にオーディオをつくらせ、スピーカシステム２６３へ送信させるＳＰＡＭ指令を埋め込む。システム２６３は“しかしあなたのポートフォリオは下がりました”を送信する。
　放送プリントとコンピュータの組合せ媒体加入局は第７Ｄ図と同様に動作し形成されている。上記局はラジオチューナ２０９Ｔに類似した受信装置、第２Ｃ図のデコーダで構成される適当なデコーダ装置、マイクロコンピュータ２０５およびプリンタ２２１をもっている。ＳＰＡＭメッセージはマイクロコンピュータ２０５に数値を計算させ、上記数値の大きいことを確認し、上記プリンタ２２１へ選ばれたプリントを転送する。例えば：
　“株価は今日大商で上がりました”
　“そしてあなたのポートフォリオは上がりました”
　第７Ｅ図はテレビとコンピュータの完全組合せ媒体を示す。第１図の装置へ分割器２０２Ｄがオーディオ伝送路に加えられ、そのオーディオ伝送路は伝送を２つの径路に分割し、１つはテレビデコーダ２０３の適当なオーディオ処理装置へ、他の一つはマイクロコンピュータ２０５の装置、即ち、コンピュータのオーディオを送信されたオーディオの中に組合せて、そのオーディオ情報をモニタ２０２Ｍへ入力する機能をもっている装置のところに送信する。マイクロコンピュータ２０５はオーディオＲＡＭを持ち、オーディオ合成および組合せの機能がある。
例＃１０つづき
　第７図および第７Ｆ図の局のマイクロコンピュータ２０５は加入者の家族の記録をもっている。例えばＡドライブのディスクのデータ　オブ　ＵＲＳ（最終受信局データ）と名付けられたファイルの情報は：上記の家族は熱くてスパイシイな食べ物が好きとか塩分を最少に、大人４人の構成と云う具合に規定する。（第２の加入者局におけるマイクロコンピュータ２０５は、Ａドライブのデータ　オブ　ＵＲＳの中に、軽い食べ物、塩分無関心、大人２人と規定する情報を保持しており、第３の加入者局のマイクロコンピュータ２０５は：並みの食べ物、塩分無関心および大人２人と子供３人を保持する。）
　プログラム発生スタジオは“インドのエキゾティックな食べ物”と呼ばれる通常のテレビプログラムを送信している。上記の送信は第６図の中間局と前述の第２中間局で受信され、再送信される。そのプログラムは専ら魚のカレイ料理についてである。ホストは云う：“もしもあなたが１０セントであなたの好みに合った献立のコピーをお望みならテレビ５６７＃にご加入を！”と。
　各加入者は自分の局のローカル入力２２５でＴＶ５６７＃に加入する：
　その後で、上記スタジオは加入の有無検査情報の指示を送信する。上記メッセージを受けると、制御器２０はＴＶ５６７＃情報が記憶装置にあることを確認し、特定情報を制御機能呼び出し情報メモリに設定してＴＶ５６７＃情報を含む計測情報の信号記録を始める。上記スタジオは献立とリストを作れを指示する第２メッセージを埋め込んで送信する。上記メッセージはデコーダ１４５で検出され、デコーダ２０３の制御器３９へ転送される。上記の指示はマイクロコンピュータ２０５に魚のカレー献立と加入者の買物表を作らせ、上記献立と表をプリンタ２２１でプリントさせ、上記買物表の情報をメモリに保有させる。マイクロコンピュータ２０５は１つの材料は“パタックの低塩分ヴィンダルー・カレー・ペースト”であることを決める。（ＴＶ５６７＃情報に加入しなかった局は上記メッセージを捨てる。）
　上記指示が埋め込まれると、上記プログラムをレコーダ／プレーヤ２１７に記録した加入者は誰でもレコードプログラムをプレイバックすれば何時でも上記指示にアクセスでき、そうすることにより、その加入者局の信号プロセッサ２００に、ＴＶ５６７＃がローカル入力２２５にプレイバックの途中で入ってきた時は何時でも計測監視情報の更新処理をさせるようにする。
　（代替方法は第２送信の中に、上記メッセージを埋め込み、上記各局の選ばれた全ての信号デコーダ２９０に上記第２送信を受信させ、それによって上記デコーダ２９０は上記第２のメッセージを検出してマイクロコンピュータ２０５へ転送する。この方法は指示がプログラム侵害者に比較的傷つけられないようになる利点がある。）
　（どの方法が用いられても、上記第２メッセージは、上述のどの方法でも暗号化と解読ができる。）
　上記スタジオはコマーシャルのために“インドのエキゾチックな食べ物”の送信を止め、プログラムユニットＱの送信を始める。上記のスタジオは直ちに、Ｑに埋め込まれた“ＵＲＳマイクロコンピュータ２０５を参加させよ”のメッセージ（例＃１０）を送信する。上記メッセージは制御器２０にマイクロコンピュータ２０５を上記スタジオのコンピュータシステムに組合せさせる。制御器２０はマトリックススイッチ２５８に第７Ｅ図の手法で装置を接続させる。各加入者局に、そのように組合せすることのできる充分な時間間隔の後、上記スタジオは“同期−ＳＰＡＭ−受信”メッセージ（＃１０）を送信する。上記メッセージはデコーダ２０３に、ファイルの終り信号を検出させ、Ｑに埋め込まれたメッセージの処理を始めさせる。上記スタジオは御呼び出しメッセージ（＃１０）を送信する。上記メッセージはマイクロコンピュータ２０５が上記スタジオの制御下に来るようにする。（上記第２加入者および第３加入者の局は上記スタジオの制御下にくる。）
　上記スタジオは各中間局に、そのデータモジュールセットメッセージを送信させる。中間局のデータモジュールセットメッセージを受信すると、各最終受信局は、中間送信局データと名付けられたファイルに上記メッセージの情報を記録する。
　上記スタジオは各中間局に、特定プログラム−指示−セットメッセージ（＃１０）を送信させる。第７図の局はＱ．１のプログラム指示セットを実行する。（上記第２加入者局は上記Ｑ．１のセットを実行する。上記第３加入者局はＱ．２のプログラム指示セットを実行する。）
　上記Ｑ．１セットの制御の下に、マイクロコンピュータ２０５は、第１ビデオオーバーレイおよび次のオーバーレイをつくる。マイクロコンピュータ２０５は“Ａ：データ　オブ　ＵＲＳ（最終受信局データ）”にアクセスし加入者の宛名を探し“Ｄ：データ　オブ　ＩＴＳ（中間送信局データ）”にアクセスしその地‘方の各マーケットの宛名を探す。マイクロコンピュータ２０５は、どのマーケットが最も近いか計算して、上記局と上記マーケット間の距離が４．３マイルであること、および上記局が上記マーケットの南西にあることを確認する。マイクロコンピュータ２０５は、メモリに南西情報を蓄え、そして下式のＸに４．３を代入する：
　Ｙ＝１０００．００＋６２．２１８７５＋（２．ｎ７＊Ｘ）
Ｙを計算すると１０７１．３２となり、ビデオＲＡＭをクリアするとビデオＲＡＭの背景の色が組合せが起こったとき透明になり、ビデオＲＡＭのビットの位置に１０７１．３２ドルが設定される。（上記の第２加入者のマイクロコンピュータ２０５は距離が８．７で、Ｙを計算すると１０８０．６４となり、ビデオＲＡＭには“１０８０．６４ドル”と設定される。上記第３加入者のマイクロコンピュータ２０５は受信した下式のＸに３．２を代入して：
　Ｙ＝１０００．００＋１３２．２３６２＋（２．０８８２＊Ｘ）
Ｙを計算して１１３８．９２とし、そしてビデオＲＡＭに１１３８．９２ドルを設定する）マイクロコンピュータ２０５は加入者の節約額９１５．９３を計算し、オーディオＲＡＭをクリアし、“フォーティ　シックス（ｆｏｒｔｙ−ｓｉｘ）”のオーディオ情報をＤ：データ　オブ　ＩＴＳから選択し、上記情報をオーディオＲＡＭに設定する。Ｑのプログラムは１人の人物写真とアナウンサーの声：
　“安売りスーパーマーケットがあなたの欲しいだけの豚肉をこの安値でお届けします。”を伝送する。
　上記スタジオは第１−開始−出力−メッセージ（＃１０）を送信する。上記メッセージは各加入者局に、第１オーバーレイの情報をビデオＲＡＭに作ることを完成させた各加入者局に、組合せ情報を表示させる。“１０７１．３２ドル”がモニタ２０２Ｍに表示（ディスプレイ）される。（上記第２加入者局では“１０８０．６４ドル”が表示される。第３加入者局では“１１３８．９２ドル”が表示される。）
　上記スタジオでは次のオーディオを送信する：
　“この売出しで以上の節約ができますよ！”
　上記スタジオは第１オーディオの作成を終えた各加入者局にメッセージを送信して其のオーディオを出させる。加入者は
　“フォーティ　シックス（ｆｏｒｔｙ−ｓｉｘ）”を聞くことができる。
　（同時に第２加入者は
　“フォーティ　ファイブ（ｆｏｒｔｙ−ｆｉｖｅ）”を聞くことができる。そして
　第３加入者は
　“フォーティ　スリー（ｆｏｒｔｙ−ｔｈｒｅｅ）”
を聞くことができる。）
　各局がそのオーディオを出すのに充分な長い時間間隔の後、上記スタジオは次のオーディオを送信する：
　“パーセント”
　直ちに各加入者局はオーディオＲＡＭをクリアし、第２オーディオの情報を選択し、上記情報をオーディオＲＡＭに設定する。
　一方上記スタジオは、次のオーディオを送信する：
　“この売り値を確認するため、われわれはあなたのプリンタに次の……をプリントしています。”　上記スタジオは各加入者局に印刷を始めさせるメッセージを送信する。プリンタ２２１において次のハードコピーが現われる：
　（上記第２加入者局においてハードコピーが次のように現われる：
　また、上記第３加入者の局にあっては、
　が現われる。）
　上記スタジオは、第１の中止−送出メッセージを送信する（＃１０）。上記メッセージは“ウォール街ウィーク”の第３メッセージと同一のものであって、各加入者局に組合せすることを中止させて、送信されたビデオだけをその監視装置、２０２Ｍに表示させて、第２のビデオオーバーレイを組合せする準備をさせる。上記メッセージは、デコーダ２０３に、“グラフィックス　オフ”を実行した後に、前述した抹消および継続指示を、マイクロコンピュータ２０５のＣＰＵに割込み信号として入力させる。上記指示は、マイクロコンピュータ２０５に上記Ｑプログラム指示セットのうち、割込みを受けたときの部分を実行させる。マイクロコンピュータ２０５は、“およびその合計”を丁度送出したときプリントの発生および送信を中止する。（上記第２加入者のマイクロコンピュータ２０５が丁度“２２２第２街路”を送出して中断し、上記第３加入者のマイクロコンピュータ２０５が丁度“１１３９．９２ドル”を送出したとき中断する。）マイクロコンピュータ２０５は上記Ｑ１セットの第１アドレスにジャンプして、第１の抹消および継続指示を実行する。マイクロコンピュータ２０５は、ビデオＲＡＭを抹消し、背景色を透明なオーバーレイ黒色にセットし、それが南西情報を保持することを確認し、ＩＴＳのＤデータから南西配達電話番号“４５６−１４１４”を選択して、上記番号の情報を、ビデオスクリーンの下方中央にビデオ情報を生ずるビット位置に配置させる。そののち、上記指示によって、マイクロコンピュータ２０５は上記印刷出力の発生および送信を再開する。（出力が印刷であるということは付随的なものである。上記メッセージは各加入者局を停止させた後、データ、コンピュータプログラム指示、オーディオ及び又はビデオの発生と送出を再開させることができる。）
　上記スタジオは、上記人間のビデオと“今晩のあなたの献立と買物表はパタツクの品を求めています。”といっている上記アナウンサのオーディオの送信を開始する。
　その後上記スタジオは、オーディオＲＡＭに第２オーディオの発生を完了した各加入者局に、そのオーディオを送信させるようなメッセージを埋め込んで送信する。加入者は
　“塩分の少ないビンダルー（Ｖｉｎｄａｌｏｏ）”
を聞くことができる。
　（上記第２加入者は、
　“甘口バージョンのクィック（Ｑｕｉｃｋ）”
を聞くことができる。
　また上記第３加入者の局では、
　“辛口バージョンのクィック（Ｑｕｉｃｋ）”
が送出される。）
　（プログラム指示セットはオーディオＲＡＭを抹消しない。）
　短時間後に、上記スタジオは、
　“カレーペースト。あなたの地域の廉売スーパーマーケットは、パタック　社製品を全部取り揃えました。電話番号をお呼び出し下さい。”
　というオーディオ信号を送信する。
　上記スタジオは、ビデオＲＡＭに第２オーバーレイ情報の発生を完了した各加入者局に対して、その監視装置２０２Ｍに組合せビデオを表示させるメッセージを送信する。デコーダ２０３は、“グラフィックス　オン”を実行する。“４５６−１４１４”がモニタ装置２０２Ｍの下方中央スクリーンに表示される。上記第２加入者の装置には、“２２４−３１２１”が表示される。また上記第３加入者の局には、“６２３−３０００”が表示される。
　上記スタジオは、
　“スクリーンであなたの注文を配達して貰いなさい。出てなければ、あなたの局部入力“ＴＶ５６８＊”にすぐ入力して下さい。そうすればマネージャーはパタック製品を１瓶入れることを約束します。”
　というオーディオ信号を送信する。
　上記スタジオは、第２オーディオを完了した各加入者局に対し、そのオーディオを送出させるメッセージを送信する。　モニタ装置２０２Ｍは、
　“塩分の少ないビンダルー”
を送信する。
　少し間隔をおいて、上記スタジオは、
　“カレーペーストを無料で”
　のオーディオ信号を送信する。
　第７図および第７Ｆ図の局にあっては、加入者はＴＶ５６８＊を入力する。その後、ＱｌまたはＱ２の特定のプログラム指示セットの指示によって、ＴＶ５６８＊が入力された各加入者局は買物品注文を電話するようになる。
　一定時間が経過したのち、上記スタジオは、解体−ＵＲＳ−マイクロコンピュータ２０５メッセージ（＃１０例）を埋め込んで送信する。上記メッセージによって、制御器２０はマイクロコンピュータ２０５を上記スタジオのコンピュータシステムから分離するようになる。上記メッセージはまた、制御器２０を動作させて、マイクロコンピュータ２０５を放送制御から局部制御に戻して、放送制御に割込まれて中断した指示の処理を開始させる。
　（計測・監視情報を除いては、＃９例においてフィールドシステム９３の局に送信されるメッセージは、＃１０例において送信されるメッセージと同一のもので、同一の機能を果す）
　＃９例および＃１０例にあっては、特に遅いマイクロコンピュータ２０５をもつ加入者局の装置が、効率を回復できる。例えば、上記の第１開始−送出メッセージ（＃１０例または＃９例）を受信すると、少なくとも１個のデコーダ２０３は、マイクロコンピュータ２０５にジャンプさせてＱ１（またはＱ）のプログラム指示セットのうち第１抹消および継続指示を実行させる。
受信局オペレーティングシステムのプログラム作成
　本発明の一つの目的は、オペレーティングシステムの標準化にある。他の目的は、システム機能を拡大できる融通性にある。
　第７図の局の事前にプログラム可能な装置を識別する不揮発性メモリを設置したものを第８図に示した。上記のメモリは、ＥＰＲＯＭ２０Ｂである。ＥＰＲＯＭ２０Ｂは第７図および第８図の局に装置が取り付けられたり、取り除かれたりする都度、再度プログラムされるものであって、また、マトリックススイッチ２５９の入力にどの装置が入力するかを識別し、どの出力がどの局の装置に出力するかを識別し、そしてスイッチ制御器２０Ａを制御するというスイッチ制御指示を含んでいる。ＥＰＲＯＭ２０Ｂはカートリッジ内に取り付けてあって、信号処理装置２００の機器容器の１ポートに取り付けてあるスイッチ制御器２０Ａ内に手動で挿入される。ＥＰＲＯＭ２０Ｂはまた、主制御周波数の情報によってプログラムされる。（同様なメモリが、第６図に示したような中間局の各コンビュータ７３に取り付けられている。）
　受信局オペレーティングシステムプログラムの一例を説明する。一つのメッセージによって、第７図および第８図の局は、マイクロコンピュータ２０５が、アップル（ＡＰＰＬＥ）ＩＩではないことを確認する。第２のメッセージによってその局は、マイクロコンピュータ２０５がＩＢＭ　ＰＣであることを確認し、またデコーダ２０３は上記メッセージのオペレーティングシステム指示を、マイクロコンピュータ２０５の駆動部にあるディスクに記録させ、さらにマイクロコンピュータ２０５に記録されたオペレーティングシステムを追い出させる。第３のメッセージによって、その局は、第３バージョンのデコーダ２０３が上記の局に存在することを確認し、デコーダ２０３に上記メッセージのオペレーティングシステム指示をデコーダ２０３のＲＡＭの中に記録させて、上記指示の制御に従う動作を開始させる。
　各メッセージに続く、ある時間内は、ＳＰＡＭ情報はメッセージのバージョンのどの装置にも送信されない。
好ましいＳＰＡＭヘッダ
　本発明の重要な特徴は、拡張に対する融通性に
ある。好ましい実施例では、ＳＰＡＭヘッダが代替メッセージの構成を識別するばかりでなく、メッセージ構成の別のバージョンをも識別する。ＳＰＡＭヘッダおよびＳＰＡＭ装置のＳＰＡＭヘッダレジスタメモリは１バイトである１信号語の長さとする。
要約＃１１例
　２０２７年の２月に、全ヨーロッパの農家は、どのような作物を混合して栽培するかを決定する。各農家は、第７図と同じ加入者局設備とする。ただし各加入者局は２組のテレビジョンレコーダ／プレーヤ２１７および２１７Ａ；２組のテレビジョンチューナ２１５および２１５Ａ；および１組のレーザディスクプレーヤ２３２を設備する。農場の情報は、各局のマイクロコンピュータ２０５のＡ駆動部に設置されるＭＹ　ＦＡＲＭ　ＤＡＴという名称のファイルに記録される。各レーザディスクプレーヤ２３２には、暗号化された財産のソフトウェアモジュールを含むＰＲＯＰＲＩＥＴ　ＭＯＤという名称のファイルを備える。上記モジュールは勧告されている栽培計画の情報を発生する。
　国の計画者は、政策の策定に努めて、農家の決定に影響を与える。各国は、衛星を介して送信する以外は、第６図と同一の国内中間送信局を保有する。各国内中間局のコンビュータ７３には、地域の方式および項目の情報を含む。ＮＡＴＩＯＮＡＬ　ＡＧＩという名称のファイルには、代わりの作付けに対する助成金の方式と項目が提案されてある。ＮＡＴＩＯＮＡＬ　ＴＡＸという名称のファイルには、農場収入に関する税金の方式が提案されており、また農場設備の減価償却計画も提案されている。またＮＡＴＩＯＮＡＬ　ＭＯＮという名称のファイルには、金融の増大率および利子率が提案されている。
　地域の計画者は、地域の政策の策定に努める。各地方自治体は、第６図と同じ地域中間局を保有する。ＬＯＣＡＬ　ＴＡＸという名称のファイルには、土地および設備に関する資産税が提案されてある。ＬＯＣＡＬ　ＥＭＰという名称のファイルには、雇用助成金方式が提案されてある。
　２０２７年の２月１５日のＧＭＴ（グリニツチ時）午前３：００時に、各局の信号処理装置は、ヨーロッパ主局の主送信の受信を開始する。午前３時１０分に上記の局は、オペレーティングシステム指示をすべてのＳＰＡＭ装置および受信局のコンピュータ７３、ならびにマイクロコンピュータ２０５に入力する。（各受信局のＥＰＲＯＭ２０Ｂの主制御周波数は、上記の主送信の周波数か、または、上記主送信が再送信される中間局の主チャネル送信の周波数である。）
　受信局は局ごとに異なる送信に対して自動的に同調を開始する。
　午後３時５９分に、上記ヨーロッパ主局は、組合せ媒体テレビジョンプログラム“ヨーロッパの農場計画”のプログラムユニット識別情報の送信を開始する。全ヨーロッパの農家と計画者は、彼等の局がそのプログラムを受信して組み合わせられるように予めプログラムしておく。衛星地球局を設備していない各受信局は、その地域の中間局（主送信を再送信する）の主チャネルに同調させる。
　午後３時５９分４５秒に、上記ヨーロッパの主局は、各地域の中間局をその国内中間局の第２テレビジョンチャネルに同調させて、そのコンピュータ７３がその国内局の制御を受けるようにする。午後３時５９分５５秒に、上記ヨーロッパの主局は、放送制御を呼び出す。
　午後４：００時に、上記主局は、“ヨーロッパの農場計画”の送信を開始する。上記の局は、直ちに最終受信局に作用して、すべてのビデオと局地的に発生した情報の表示を暗くさせ、またすべてのコンピュータ７３およびマイクロコンピュータ２０５にフレーム全体のビデオに埋め込まれているＳＰＡＭ情報の受信を開始させる。上記主局は、マイクロコンピュータ２０５に表題を表示させる。そのあと、上記の局は、最終受信局のそれぞれが、そのスピーカシステム２６１において、その加入者の本来の国語でオーディオ送信の音声の受信および送信を行なうようにさせる。次に上記主局は、国内レベル中間発生セットを含む国内中間局に、メッセージを送信する。上記の主局は、各最終受信局の信号処理装置２００が、そのＥＰＲＯＭ２０Ｂの主周波数をそのデコーダ３０に連続的に入力するようにする。（そうすることによって、上記主局は、デコーダ１４５、２０３または２８２に加わる送信とは無関係に上記主送信が上記信号処理装置２００に連続的に入力されるようにして、信号処理装置２００が関心のある他のプログラムを識別するのを妨げる。）上記主局は、第１プログラム指示セットを送信する。その後上記主局は、すべてのＳＰＡＭデコーダ装置に、通常送信位置だけに埋め込まれているＳＰＡＭ情報の受信を開始させる。
　上記国内レベル中間発生セットは、国内中間局のそれぞれに、地域レベル中間発生セットを発生させる。上記国内レベルセットは、国内の農業および経済の政策、地方税の方式および項目、雇用者助成方式ならびに勧告される作物栽培計画についての一般に適用される情報を含む。また上記セットは、農家が各作物を売ることが可能と目論まれた価格も含む。上記セットによって、各国内中間局は、そのＮＡＴＩＯＮＡＬ　ＡＧＩ、ＮＡＴＩＯＮＡＬ　ＴＡＸ、およびＮＡＴＩＯＮＡＬ　ＭＯＮのファイルにアクセスして、特定の助成金方式および項目、税金の方式および減価償却計画ならびに計画される農家借り入れに対する金銭的増大および利子率について計算する。
　短い時間の後、上記ヨーロッパ主局はメッセージを送信するが、そのメッセージによって各国内中間局は、その地域レベル中間発生セットを含むメッセージを第２テレビジョンチャネル送信中に埋め込んで送信する。
　その国内局のメッセージによって、各地域中間局は、プログラム指示セットを発生する。各地域中間局はそのＬＯＣＡＬ　ＴＡＸおよびＬＯＣＡＬ　ＥＭＰのファイルにアクセスして、特定の地域資産税および雇用助成金方式を計算する。
　午後４時２９分５０秒に、上記主局は、一つの合図（キューイング）メッセージを送信する。上記メッセージによって、各国内中間局は、各地域中間局にそのレコーダ７６を動作させるメッセージをその第２テレビジョンチャネルに埋め込ませて、そのプログラミングを主チャネルで送信する。各地域中間局は、“ヨーロッパの農場計画”の国内的および地域的の部分の送信を開始する。
　ＧＭＴ午後４時２９分５５秒に、上記ヨーロッパ主ネットワーク局は、一つのメッセージを主送信中に埋め込んで送信する。そのメッセージによって、上記の送信を衛星によって受信する各最終受信局は、その地域中間局（その局の情報はそのＥＰＲＯＭ２０Ｂにあらかじめプログラムされている）の主チャネルの組み合わされた媒体プログラムを受信して処理する。
　そのうちに各レコーダ７６は、ＩＴＳコンピュータ７３にアドレス指定されるメッセージを送信する。各地域中間局は、そのレコーダ７６のメッセージを検出して、そのプログラム指示セットを送信する。その後ＵＲＳマイクロコンピュータ２０５にアドレス指定される別のメッセージがレコーダ７６によって送信される。
　各農家の局は、国内的および地域的な政策の情報を地域に発生する情報と定期的に組み合わせて表示する。
　そのプログラム指示セットによって、各マイクロコンピュータ２０５は、その農家の作物の混合問題に対する最適な解を発生するようになる。各マイクロコンピュータ２０５は、そのＡ駆動装置にあるＭＹ　ＦＡＲＭ　ＤＡＴファイルにアクセスする。各マイクロコンピュータ２０５はその信号処理装置２００に指示して、そのレーザディスクプレーヤ２３２を動作させる。第７例の方式で、各局はその“ＰＲＯＰＲＩＥＴ　ＭＯＤ”ファイルのメータ情報を解読して保持する。線形計画法の手法を使って、各マイクロコンピュータ２０５は、例えば、農場の広さ、土壌の状態、日光および日陰の観点、転作の歴史、農器具および財務上の資源を含むデータを参照し、そして上記プログラム指示セットの情報を適用することによって、その農家の最適作物栽培計画を計算する。その計画には、予想される収入、費用および利益ならびに、接近しているが最適ではない感度解析を含む。マイクロコンピュータ２０５は、ＰＬＡＮＴＩＮＧ　ＤＡＴという名称のファイルのＡディスクにその計画を記録する。
　２６個の広告放送の情報が、そのプログラム指示セットに含まれている。その計画を解析して、各マイクロコンピュータ２０５はその農家に最も価値のありそうなもの４個を識別する。各局は信号処理装置２００にその４個の広告放送のスケジュール情報を入力する。それから各地域中間局のレコーダ７６は、ＩＴＳコンピュータ７３に、アドレス指定される局部的合図メッセージを送信する。
　＃１０例のように、各局は一般に適用可能な作物栽培計画の情報に、その農家に特別な情報を定期的に組み合わせて表示しかつ送出する。各農家の最適計画は自動的に説明される。
　その地域合図メッセージを受信することによって、各地域中間局は、ＵＲＳ信号処理装置２００にアドレス指定されるメッセージを、その主チャネル送信に埋め込んだのち、そのビデオレコード／プレーヤ７８に第２テレビジョンチャネルで送出させる。上記メッセージによって、各農家の局は、その地域中間局の第２テレビジョンチャネルを受信して、その送信を選択されたビデオレコーダ／プレーヤ２１７または２１７Ａに転送する。少時間後に、各コンピュータ７３は、上記レコーダ７８に、２６個の広告放送を送出させる。各局の信号処理装置２００によって、そのレコーダ／プレーヤ２１７および２１７Ａが、そのマイクロコンピュータ２０５によって入力されるスケジュールに従って、その局の選択されたスポット広告放送を記録し、表示するように編成したのち送出するようになる。
　各農家の局では、プログラム指示セットが、ＴＥＬＥＰＨＯＮＥ　ＥＸＥモジュールをマイクロコンピュータ２０５に記録させ、農家がその特定の計画を修正し、その計画を遠方の局へ送信することを可能にさせる。
　国内および地域部分の末端に組み込まれてあるメッセージによって、各農家の局は、その地域の中間局の主チャネルから分離して、選択されたレコーダ／プレーヤ２１７または２１７Ａの組み合わされた媒体のプログラムを発生して送出することを開始するように相互接続する。各広告放送スポットを送出することによって、組み合わされた媒体情報が、トラックやソフトウェアパッケージのような製品を表示し、“Ａ：　ＰＬＡＮＴＩＮＧ．ＤＡＴ”にアクセスし、その製品またはサービスを使用する場合の増加利益の解析を発生させ、また上記解析情報（上記解析が明確な利益となるとき）を表示する。
　各農家は、その計画を調査して、ＴＥＬＥＰＨＯＮＥ　ＥＸＥを実行して、自分の希望に沿うようにファイルを修正する。ＴＥＬＥＰＨＯＮＥ　ＥＸＥによって、信号処理装置２００は、その農家のファイルを、遠方のデータ収集局のコンピュータヘ送信する。データは上記ヨーロッパ主局のコンピュータに集められて、それによって、計画者が国内中間発生セットの変数、特に予想される価格を改善することを可能にする。
　２０２７年の２月１８日午後３時５９分に、農家の発生および通信の情報サイクルは、改善された変数を使用しながら繰り返される。繰返しながら修正する方法で、このサイクルは、ヨーロッパの主農業計画が達成されるまで反復される。このようにして、本発明の統一した方式によって、計画をたて、意志決定することを容易にする。
　これまでの説明は、例によって示したが、本発明の精神を逸脱することなく、修正を行なうことができる。どのようなメッセージおよびプログラミングの送信も、符号化／符号再現化および他の規制技術を使用することによって、選択された局および装置にだけ影響させることができる。任意の制御機能を呼び出すことにより、監視情報が処理可能になる。中間送信局は、第７図および第８図に示したように、制御情報スイッチングおよびバス通信能力をもった設備とすることができる。どの送信局もその受信局を適当な方法で機能させることができる。
（５７）【特許請求の範囲】
１．加入者局で信号を処理する方法であって、送信搬送波を受信する段階と、上記送信搬送波を復調してその中の放送番組および埋め込まれた信号を含む送信情報を検出する段階と、上記送信情報に埋め込まれた予め決められた比較部分、情報セグメントおよび上記情報セグメントとその情報セグメントを送信する送信局とを特定しうる計測監視セグメントを含む複数部分よりなる信号を検出する段階と、上記埋め込まれた信号の選択される情報処理装置と上記情報処理装置によリ実行される機能との両者を限定する複数のビットを有する予め決められた上記比較部分を上記加入者局にたくわえられた複数の予め決められた値と比較して若し予め決められた上記比較部分と予め決められた上記値のうちの１つとが一致していれば、（ａ）加入者局の一つの情報処理装置を選択して上記送信情報の上記情報セグメントの受信を可能にし、（ｂ）上記送信情報の上記情報セグメントを加入者局の上記選択した情報処理装置へ送ったことを記録するために上記計測監視セグメントを記録装置へ転送し、（ｃ）記録された計測監視セグメントを上記加入者局の情報とともに遠隔地へ転送する段階とよりなることを特徴とする信号処理方法。
２．上記計測監視セグメントを遠隔地に転送する段階は、周期的に上記記録装置内の情報量を計る段階と、上記記録装置内の情報量が予め定めた満杯レベルに達した時は自動的に記録装置内の情報を加入者局から遠く位置するコンピュータヘ電話回線経由で転送する段階と、よりなることを特徴とする請求の範囲１項記載の信号処理方法。
３．上記信号処理方法は更に、上記遠く位置するコンピュータが夫々別の加入者局の記録装置に記録された計測監視セグメントを受信する段階と、上記遠く位置するコンピュータが各加入者からの支払の自動集金を可能にするために上記受信した計測監視セグメントから各加入者局宛の請求書を作成する段階と、よりなることを特徴とする請求の範囲２項記載の信号処理方法。
４．上記計測監視セグメントを記録装置に転送する段階は、計測監視セグメントを記録装置に受信可能なフォーマットにまとめる段階と、上記送信情報の上記情報セグメントを加入者局の上記選択された情報処理装置へ送ったことを記録するために、上記まとめられた計測監視セグメントを記録装置へ転送する段階と、よりなることを特徴とする請求の範囲１項記載の信号処理方法。
５．上記送信情報に埋め込まれた信号を検出する段階は、信号検出器が、予め定められた時間の間だけ、上記埋め込まれた信号を検出できるようにすることよりなることを特徴とする請求の範囲１記載の信号処理方法。
６．上記埋め込まれた信号は暗号化されており、埋め込まれた信号を検出する段階は更に暗号を解読する段階をも含んでいることを特徴とする請求の範囲１項記載の信号処理方法。